(57)【要約】      （修正有）【課題】プレーヤ操作に基づく移動体のアニメーションを音のタイミングに合わせた興趣性の高いプログラム及びゲームシステムを提供する。【解決手段】ゲームシステムは、プレーヤの操作情報に基づいて、移動体のアニメーション処理を行うアニメーション処理部１０８と、プレーヤの操作情報に基づいて基準タイミングを決定し、基準タイミングに基づいて、ゲーム中に出力される音のタイミング情報を決定するタイミング処理部１１０を含む。アニメーション処理部１０８は、音のタイミング情報に合わせて、移動体のアニメーション処理を行う。【選択図】図１
2019103728.tif 000002
【特許請求の範囲】
【請求項１】
プレーヤの操作情報に基づいて、移動体のアニメーション処理を行うアニメーション処理部と、
前記プレーヤの操作情報に基づいて基準タイミングを決定し、前記基準タイミングに基づいて、ゲーム中に出力される音のタイミング情報を決定するタイミング処理部として、
コンピュータを機能させ、
前記アニメーション処理部は、
前記音のタイミング情報に合わせて、前記移動体の前記アニメーション処理を行うことを特徴とするプログラム。
【請求項２】
請求項１において、
前記アニメーション処理部は、
前記音のタイミング情報に基づいて、前記アニメーション処理に用いられる前記移動体のアニメーション情報の調整処理を行うことを特徴とするプログラム。
【請求項３】
請求項２において、
前記アニメーション処理部は、
前記音のタイミング情報に合わせて前記移動体が動作するように、前記調整処理を行うことを特徴とするプログラム。
【請求項４】
請求項２又は３において、
前記アニメーション情報には、キーフレームを表すキーフレーム情報が対応付けられており、
前記アニメーション処理部は、
前記音のタイミング情報により表されるタイミングと、前記キーフレーム情報により表される前記キーフレームの再生タイミングとが一致するように、前記調整処理を行うことを特徴とするプログラム。
【請求項５】
請求項４において、
前記基準タイミングは、前記キーフレームの前記再生タイミングであることを特徴とするプログラム。
【請求項６】
請求項２乃至５のいずれかにおいて、
前記アニメーション処理部は、
前記アニメーション処理の対象となる前記アニメーション情報の決定処理を行い、決定された前記アニメーション情報に対して前記調整処理を行うことを特徴とするプログラム。
【請求項７】
請求項６において、
前記アニメーション処理部は、
前記音のタイミング情報に基づいて、前記アニメーション情報の前記決定処理を行うことを特徴とするプログラム。
【請求項８】
請求項７において、
前記音のタイミング情報には、パラメータが関連づけられており、
前記アニメーション処理部は、
前記パラメータに基づいて、前記アニメーション情報の前記決定処理を行うことを特徴とするプログラム。
【請求項９】
請求項８において、
前記ゲーム内で再生される音は、楽曲情報により表される楽曲であり、
前記パラメータは、音量、音程、及び音色の少なくとも１つに関するパラメータであることを特徴とするプログラム。
【請求項１０】
請求項６において、
前記ゲーム内で再生される音は、楽曲情報により表される楽曲であり、
前記アニメーション処理部は、
前記楽曲情報、前記プレーヤの操作情報、前記移動体が移動するフィールドの情報、及び前記移動体の状態を表す状態情報の少なくとも１つに基づいて、前記アニメーション情報の前記決定処理を行うことを特徴とするプログラム。
【請求項１１】
プレーヤの操作情報に基づいて、移動体のアニメーション処理を行うアニメーション処理部と、
前記プレーヤの操作情報に基づいて基準タイミングを決定し、前記基準タイミングに基づいて、ゲーム中に出力される音のタイミング情報を決定するタイミング処理部と、
を含み、
前記アニメーション処理部は、
前記音のタイミング情報に合わせて、前記移動体の前記アニメーション処理を行うことを特徴とするゲームシステム。
【発明の詳細な説明】
【技術分野】
【０００１】
本発明は、プログラム及びゲームシステム等に関する。
【背景技術】
【０００２】
従来より、プレーヤが音楽ゲームをプレイするためのゲームシステムが知られている。このゲームシステムでは、音出力部から楽曲が出力されると共に、表示部には、プレーヤの操作タイミングを指示するための指示マーク（音符）が表示される。プレーヤは、出力される楽曲を聞きながら、表示された指示マークにしたがった操作を行って、音楽ゲームを楽しむ。このようなゲームシステムの従来技術としては例えば特許文献１に開示される技術がある。
【０００３】
また特許文献２には、ユーザに音楽鑑賞を楽しませる手法として、音楽に合わせてキャラクタオブジェクトが動作する動画像を生成する手法が開示されている。
【先行技術文献】
【特許文献】
【０００４】
【特許文献１】特開２００８−６１７６４号公報
【特許文献２】国際公開第２０１５／１９４５０９号
【発明の概要】
【発明が解決しようとする課題】
【０００５】
従来の音楽ゲームでは、プレーヤは音のタイミングに合わせて適切な操作を行う必要があり、難易度が高い。これに対して、従来より広く知られているアクションゲームの要素を、音楽ゲームに組み合わせることが考えられる。当該ゲームシステムでは、プレーヤ操作に基づいてキャラクタを動作させ、キャラクタの動作に合わせて楽曲等の音の出力制御を行う。このようにすれば、プレーヤは、キャラクタを操作するだけで楽曲を演奏をしているように感じられ、高揚感を得られる。
【０００６】
キャラクタの動作では、跳躍動作における着地や踏切のように、当該動作において特徴的なタイミングを規定できる。当該特徴的なタイミングと音のタイミングがずれている場合、プレーヤは音楽を演奏している感覚を得にくくなってしまい、興趣性に欠ける。また、キャラクタの動作が行われるタイミングや動作の内容は、プレーヤ操作によって決定されるため、特許文献２の手法のように音楽に合わせたキャラクタ動作（アニメーション）をあらかじめ作り込んでおくことは困難である。
【０００７】
本発明の幾つかの態様によれば、プレーヤ操作に基づく移動体のアニメーションを音のタイミングに合わせることで、興趣性の高いプログラム及びゲームシステム等を提供できる。
【課題を解決するための手段】
【０００８】
本発明の一態様は、プレーヤの操作情報に基づいて、移動体のアニメーション処理を行うアニメーション処理部と、前記プレーヤの操作情報に基づいて基準タイミングを決定し、前記基準タイミングに基づいて、ゲーム中に出力される音のタイミング情報を決定するタイミング処理部と、を含み、前記アニメーション処理部は、前記音のタイミング情報に合わせて、前記移動体の前記アニメーション処理を行うゲームシステムに関係する。また本発明は、上記各部としてコンピュータを機能させるプログラム、又は該プログラムを記憶したコンピュータ読み取り可能な情報記憶媒体に関係する。
【０００９】
本発明の一態様では、基準タイミングと音のタイミング情報を決定し、音のタイミング情報に合うように移動体のアニメーション処理が行われる。操作情報に基づいてアニメーション処理が行われる場合、移動体のアニメーションと音のタイミングをあらかじめ対応付けておくことは難しい。その点、本発明の一態様によれば、音のタイミングを適切に決定した上でアニメーション処理を行うことで、音に合わせた移動体のアニメーションを実現できる。
【００１０】
また本発明の一態様では、前記アニメーション処理部は、前記音のタイミング情報に基づいて、前記アニメーション処理に用いられる前記移動体のアニメーション情報の調整処理を行ってもよい。
【００１１】
このようにすれば、アニメーション情報の調整処理により、音に合わせた移動体のアニメーションを実現することが可能になる。
【００１２】
また本発明の一態様では、前記アニメーション処理部は、前記音のタイミング情報に合わせて前記移動体が動作するように、前記調整処理を行ってもよい。
【００１３】
このようにすれば、アニメーション情報の調整処理により、移動体を音のタイミングに合わせて動作させることが可能になる。
【００１４】
また本発明の一態様では、前記アニメーション情報には、キーフレームを表すキーフレーム情報が対応付けられており、前記アニメーション処理部は、前記音のタイミング情報により表されるタイミングと、前記キーフレーム情報により表される前記キーフレームの再生タイミングとが一致するように、前記調整処理を行ってもよい。
【００１５】
このようにすれば、キーフレーム情報に基づいて調整処理を行うことが可能になる。
【００１６】
また本発明の一態様では、前記基準タイミングは、前記キーフレームの前記再生タイミングであってもよい。
【００１７】
このようにすれば、キーフレームの再生タイミングを基準タイミングとして用いることが可能になる。
【００１８】
また本発明の一態様では、前記アニメーション処理部は、前記アニメーション処理の対象となる前記アニメーション情報の決定処理を行い、決定された前記アニメーション情報に対して前記調整処理を行ってもよい。
【００１９】
このようにすれば、複数のアニメーション情報の中から適切なアニメーション情報を選択することが可能になる。
【００２０】
また本発明の一態様では、前記アニメーション処理部は、前記音のタイミング情報に基づいて、前記アニメーション情報の前記決定処理を行ってもよい。
【００２１】
このようにすれば、音のタイミング情報に基づいて、アニメーション情報の決定処理を行うことが可能になる。
【００２２】
また本発明の一態様では、前記音のタイミング情報には、パラメータが関連づけられており、前記アニメーション処理部は、前記パラメータに基づいて、前記アニメーション情報の前記決定処理を行ってもよい。
【００２３】
このようにすれば、楽曲のパラメータに基づいて、アニメーション情報の決定処理を行うことが可能になる。
【００２４】
また本発明の一態様では、前記ゲーム内で再生される音は、楽曲情報により表される楽曲であり、前記パラメータは、音量、音程、及び音色の少なくとも１つに関するパラメータであってもよい。
【００２５】
このようにすれば、楽曲の音量、音程、音色に関するパラメータに基づいて、決定処理を行うことが可能になる。
【００２６】
また本発明の一態様では、前記ゲーム内で再生される音は、楽曲情報により表される楽曲であり、前記アニメーション処理部は、前記楽曲情報、前記プレーヤの操作情報、前記移動体が移動するフィールドの情報、及び前記移動体の状態を表す状態情報の少なくとも１つに基づいて、前記アニメーション情報の前記決定処理を行ってもよい。
【００２７】
このようにすれば、種々の情報に基づいて、アニメーション情報の決定処理を行うことが可能になる。
【図面の簡単な説明】
【００２８】
【図１】本実施形態のゲームシステムの構成例。
【図２】図２（Ａ）〜図２（Ｅ）は本実施形態のゲームシステムを実現する種々の装置の例。
【図３】図３（Ａ）は本実施形態のゲームシステムで用いられる３次元マップの例、図３（Ｂ）は表示部に表示されるゲーム画面の例。
【図４】キャラクタの跳躍動作の例。
【図５】図５（Ａ）〜図５（Ｃ）は跳躍動作に対応するゲーム画面の例。
【図６】キャラクタのスライディング動作の例。
【図７】図７（Ａ）〜図７（Ｃ）はスライディング動作に対応するゲーム画面の例。
【図８】楽曲部分の説明図。
【図９】エリアと時系列楽曲部分の対応付けの例。
【図１０】判定結果（ビートパラメータ）とパート楽曲部分の対応付けの例。
【図１１】図１１（Ａ）、図１１（Ｂ）は本実施形態の処理を説明するフローチャート。
【図１２】オブジェクト制御の例。
【図１３】オブジェクト制御を説明するフローチャート。
【図１４】モデルオブジェクト、スケルトン構造の例。
【図１５】骨の親子関係の説明図。
【図１６】アニメーション情報の具体例。
【図１７】拍のタイミングの説明図。
【図１８】基準タイミングと音のタイミングの関係例。
【図１９】アニメーション情報に対する調整処理の説明図。
【図２０】アニメーション処理を説明するフローチャート。
【図２１】アニメーション情報記憶部に記憶されるデータの例。
【図２２】図２２（Ａ）〜図２２（Ｆ）はキャラクタの回転動作の例。
【図２３】図２３（Ａ）〜図２３（Ｃ）は複数のキーフレームを含むアニメーション情報に対する調整処理の説明図。
【図２４】アニメーション処理を説明する他のフローチャート。
【発明を実施するための形態】
【００２９】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００３０】
１．構成
図１に本実施形態のゲームシステム（ゲーム装置、画像生成システム、サーバシステム）のブロック図の例を示す。なお、本実施形態のゲームシステムの構成は図１に限定されず、その構成要素（各部）の一部を省略したり、他の構成要素を追加するなどの種々の変形実施が可能である。
【００３１】
操作部１６０は、プレーヤ（ユーザ）が操作データを入力するためのものであり、その機能は、操作ボタン、方向指示キー、アナログスティック、レバー、各種センサ（角速度センサ、加速度センサ等）、撮像部（カメラ）、マイク、或いはタッチパネル型ディスプレイなどにより実現できる。
【００３２】
記憶部１７０は、処理部１００や通信部１９６などのワーク領域となるもので、その機能はＲＡＭ、ＳＳＤ、或いはＨＤＤなどにより実現できる。
【００３３】
記憶部１７０は、楽曲情報（ＢＧＭ、音楽）を記憶する楽曲情報記憶部１７１、ゲーム進行履歴の情報（経過時間、ゲーム内パラメータ、キャラクタの移動履歴や移動方向等）を記憶するゲーム進行履歴記憶部１７２、移動体が移動するフィールドや当該フィールド上に配置されるオブジェクトの情報を記憶するフィールド・オブジェクト情報記憶部１７３、移動体（キャラクタ）のアニメーション情報を記憶するアニメーション情報記憶部１７４を含む。なお記憶部１７０の構成は図１に限定されず、記憶部１７０は、プレーヤによる操作入力の情報を記憶するバッファや、オブジェクトの描画処理に使用される描画バッファ等の不図示の構成を含んでもよい。
【００３４】
記憶媒体１８０（コンピュータにより読み取り可能な媒体）は、データやプログラムなどの各種の情報を記憶する。記憶媒体１８０は、ＳＲＡＭ、ＤＲＡＭなどの半導体メモリーであってもよいし、レジスタであってもよいし、ハードディスク装置（ＨＤＤ）などの磁気記憶装置であってもよいし、光学ディスク装置等の光学式記憶装置であってもよい。例えば、記憶媒体１８０はコンピュータにより読み取り可能な命令を格納しており、当該命令が処理部１００（プロセッサ）により実行されることで、ゲームシステムの各部（通信部、処理部）の機能が実現されることになる。ここでの命令は、プログラムを構成する命令セットの命令でもよいし、処理部１００（プロセッサ）のハードウェア回路に対して動作を指示する命令であってもよい。
【００３５】
表示部１９０は、本実施形態により生成された画像を出力するものであり、その機能は、ＬＣＤ、有機ＥＬディスプレイ、ＣＲＴ、各種プロジェクター型ディスプレイ、或いはＨＭＤなどにより実現できる。音出力部１９２は、本実施形態により生成された音を出力するものであり、その機能は、スピーカ、或いはヘッドフォンなどにより実現できる。
【００３６】
Ｉ／Ｆ（インターフェース）部１９４は、携帯型情報記憶媒体１９５とのインターフェース処理を行うものであり、その機能はＩ／Ｆ処理用のＡＳＩＣなどにより実現できる。携帯型情報記憶媒体１９５は、プレーヤがゲームプレイするための各種情報が記憶されるものであり、ＩＣカード（メモリーカード）、ＵＳＢメモリ、或いは磁気カードなどにより実現できる。
【００３７】
通信部１９６は、有線や無線のネットワークを介して外部装置（例えば他のゲーム装置、管理装置、サーバシステム等）との間で通信を行うものであり、その機能は、通信用ＡＳＩＣ又は通信用プロセッサなどのハードウェアや、通信用ファームウェアにより実現できる。
【００３８】
なお本実施形態の各部としてコンピュータを機能させるためのプログラム（データ）は、サーバシステム（ホスト装置）が有する情報記憶媒体からネットワーク及び通信部１９６を介して記憶媒体１８０（あるいは記憶部１７０）に配信してもよい。このようなサーバシステムによる記憶媒体の使用も本発明の範囲内に含めることができる。
【００３９】
処理部１００（プロセッサ）は、操作部１６０からの操作情報やプログラムなどに基づいて、ゲーム処理、表示処理、或いは音処理などを行う。処理部１００は記憶部１７０をワーク領域として各種処理を行う。処理部１１０が行う本実施形態の各処理（各機能）は、プロセッサ（ハードウェアを含むプロセッサ）により実現できる。例えば本実施形態の各処理は、プログラム等の情報に基づき動作するプロセッサと、プログラム等の情報を記憶するメモリー（記憶装置）により実現できる。ここでのプロセッサは、例えば各部の機能が個別のハードウェアで実現されてもよいし、或いは各部の機能が一体のハードウェアで実現されてもよい。例えば、プロセッサはハードウェアを含み、そのハードウェアは、デジタル信号を処理する回路及びアナログ信号を処理する回路の少なくとも一方を含むことができる。例えば、プロセッサは、回路基板に実装された１又は複数の回路装置（例えばＩＣ等）や、１又は複数の回路素子（例えば抵抗、キャパシター等）で構成することができる。プロセッサは、例えばＣＰＵ（Central Processing Unit）であってもよい。ただし、プロセッサはＣＰＵに限定されるものではなく、ＧＰＵ（Graphics Processing Unit）、或いはＤＳＰ（Digital Signal Processor）等、各種のプロセッサを用いることが可能である。またプロセッサはＡＳＩＣ（application specific integrated circuit）によるハードウェア回路でもよい。またプロセッサは、複数のＣＰＵにより構成されていてもよいし、複数のＡＳＩＣによるハードウェア回路により構成されていてもよい。また、プロセッサは、複数のＣＰＵと、複数のＡＳＩＣによるハードウェア回路と、の組み合わせにより構成されていてもよい。
【００４０】
処理部１００は、入力受け付け部１０２、ゲーム処理部１０４、キャラクタ処理部１０６、楽曲再生部１１２、オブジェクト制御部１１４、判定部１１６、表示処理部１２０を含む。また、キャラクタ処理部１０６は、アニメーション処理部１０８、タイミング処理部１１０を含む。なおこれらの構成要素の一部を省略したり、他の構成要素を追加するなどの変形実施が可能である。
【００４１】
入力受け付け部１０２は、プレーヤの操作情報（入力情報）の受け付け処理を行う。例えば操作部１６０を用いてプレーヤが入力した操作の受け付け処理を行う。例えば操作部１６０からのデータをサンプリングし、Ａ／Ｄ変換などを行って操作情報として受け付ける。
【００４２】
ゲーム処理部１０４はゲーム処理（ゲーム演算処理）を行う。ここでゲーム処理としては、ゲーム開始条件が満たされた場合にゲームを開始する処理、ゲームを進行させる処理、或いはゲーム終了条件が満たされた場合にゲームを終了する処理などがある。またゲーム処理部１０４は、プレーヤのゲーム成績（得点、ポイント）の演算処理を行う。
【００４３】
キャラクタ処理部１０６は、プレーヤがゲーム内で操作するキャラクタに関する処理を行う。キャラクタは、例えば後述する人型のキャラクタＣＡである。ただし、プレーヤによる操作対象は種々の移動体に拡張可能であり、キャラクタ処理部１０６を移動体に関する処理を行う移動体処理部に拡張して考えることも可能である。
【００４４】
キャラクタ処理部１０６のアニメーション処理部１０８は、キャラクタのアニメーション処理を行う。具体的には、記憶部１７０のアニメーション情報記憶部１７４は、複数のアニメーション情報（モーション情報）を記憶しており、各アニメーション情報は、キャラクタの所与の動作（アクション、モーション、アニメーション）に対応する。アニメーション処理部１０８は、操作情報やオブジェクト情報に基づいて適切なアニメーション情報を決定（選択）し、当該アニメーション情報を再生する処理（モーション再生処理）を行うことで、キャラクタのアニメーションを実現する。
【００４５】
また、本実施形態のアニメーション処理部１０８は、キャラクタのアニメーションを音（楽曲）に合わせるような調整処理を行う。タイミング処理部１１０は、操作情報や楽曲情報に基づいて、調整処理に必要なタイミング（基準タイミング、音のタイミング）の特定処理を行う。アニメーション処理部１０８は、タイミング処理部１１０で特定されたタイミングに基づいて、アニメーション情報に対する調整処理を行う。
【００４６】
楽曲再生部１１２は、処理部１００で行われる種々の処理の結果に基づいて音処理を行い、楽曲（ＢＧＭ）を生成し、音出力部１９２に出力する。なお、以下の説明では楽曲再生部１１２における再生処理の対象が楽曲（ＢＧＭ）である例を説明するが、楽曲再生部１１２は、効果音、又は音声などの楽曲以外のゲーム音を生成し、音出力部１９２に出力してもよい。
【００４７】
オブジェクト制御部１１４は、キャラクタが移動するフィールドに配置され、キャラクタによる動作の対象となるオブジェクトの制御を行う。オブジェクト制御部１１４は、ゲームの進行履歴に基づいてオブジェクトの配置等に関する制御を行う。
【００４８】
判定部１１６はプレーヤの操作情報に基づく判定処理を行う。例えば判定部１１６は、プレーヤに対応するキャラクタの位置、オブジェクトの位置、プレーヤが入力した操作の種類等の情報に基づいて、オブジェクトに対するキャラクタの動作が成功したか否かを判定する。
【００４９】
表示処理部１２０は、表示部１９０にゲーム画像等の画像を表示するための処理（画像生成処理等）を行う。例えば処理部１００で行われる種々の処理（ゲーム処理、シミュレーション処理）の結果に基づいて描画処理を行い、これにより画像を生成し、表示部１９０に出力する。例えば３次元ゲーム用の画像を生成する場合には、座標変換（ワールド座標変換、カメラ座標変換）、クリッピング処理、透視変換、或いは光源処理等のジオメトリ処理が行われ、その処理結果に基づいて、描画データ（プリミティブ面の頂点の位置座標、テクスチャ座標、色データ、法線ベクトル或いはα値等）が作成される。そして、この描画データ（プリミティブ面データ）に基づいて、透視変換後（ジオメトリ処理後）のオブジェクト（１又は複数プリミティブ面）を、描画バッファ（フレームバッファ、ワークバッファ等のピクセル単位で画像情報を記憶できるバッファ）に描画する。これにより、オブジェクト空間内において仮想カメラ（所与の視点）から見える画像が生成される。
【００５０】
図２（Ａ）に本実施形態のゲームシステムを実現する装置の一例を示す。図２（Ａ）は本実施形態のゲームシステムを携帯型ゲーム装置で実現する場合の例である。この携帯型ゲーム装置は、操作部１６０として機能する操作ボタン１０、１１、１２、１３、方向指示キー１４、アナログスティック１６、１８、Ｒ、Ｌキー２０、２２や、液晶ディスプレイにより実現される表示部１９０を有する。なお本実施形態のゲームシステムを実現する装置は図２（Ａ）に限定されず、種々の変形実施が可能である。例えば本実施形態のゲームシステムを実現する装置は、図２（Ｂ）に示す家庭用ゲーム装置（据え置き型）、図２（Ｃ）に示す携帯型通信端末（スマートフォン、フューチャーフォン、携帯電話機）、図２（Ｄ）に示す業務用ゲーム装置などであってもよい。或いは図２（Ｅ）に示すように本実施形態のゲームシステムは、端末装置ＴＭ１〜ＴＭｎとネットワーク５１０を介して通信接続されるサーバシステム５００などにより実現してもよい。例えば本実施形態のゲームシステムの各処理を、サーバシステム５００と端末装置ＴＭ１〜ＴＭｎの分散処理等により実現してもよい。ＴＭ１〜ＴＭｎの各端末装置は例えば図２（Ａ）〜図２（Ｄ）に示すような各種の装置により実現できる。
【００５１】
図１に示したように、本実施形態のゲームシステムは、アニメーション処理部１０８、タイミング処理部１１０を含む。アニメーション処理部１０８は、プレーヤの操作情報に基づいて、移動体のアニメーション処理を行う。タイミング処理部１１０は、プレーヤの操作情報に基づいて基準タイミングを決定し、基準タイミングに基づいて、ゲーム中に出力される音のタイミング情報を決定する。さらにアニメーション処理部１０８は、音のタイミング情報に合わせて、移動体のアニメーション処理を行う。
【００５２】
操作情報とは、プレーヤが操作部１６０に対して行った操作の内容（結果）を表す情報である。例えば操作情報は、図２（Ａ）の操作ボタン１０、１１、１２、１３、方向指示キー１４、アナログスティック１６、１８、Ｒ、Ｌキー２０、２２のいずれに対する操作が行われたかを表す情報である。また操作情報は、プレーヤにより操作が行われたタイミングを特定する情報を含んでもよい。
【００５３】
移動体とは、ゲームシステムにおいてプレーヤの操作情報に基づいてゲームマップ（狭義には３次元マップ）を移動するオブジェクトである。移動体は実空間のプレーヤに対応して仮想空間で移動するプレーヤ移動体である。移動体は、狭義には後述するキャラクタＣＡ（プレーヤキャラクタ、アバター）である。ただし移動体として、車、バイク、飛行機等の乗り物を用いてもよい。即ち、本実施形態における移動体は、ゲームシステム中で形成される仮想的な空間を移動可能な種々のオブジェクトに拡張することが可能である。仮想カメラから見える画像は三人称視点の画像でもよく、一人称視点の画像でもよい。移動体であるプレーヤ移動体（キャラクタ）は、ゲーム画像に表示されるオブジェクトであってもよいし、ゲーム画像に表示されない仮想的なオブジェクトであってもよい。
【００５４】
基準タイミングとは、アニメーション処理（狭義にはアニメーション情報の再生処理）の基準となるタイミング（或いは、当該タイミングを表す情報）である。基準タイミングは、例えば再生対象となるアニメーション情報における特徴的なタイミングであり、狭義にはキーフレームの再生タイミングを表す。基準タイミング（後述する図１８のｔＫ）は、例えば操作情報に基づいてアニメーション情報の再生開始タイミング（図１８のｔＳ）が特定されることで特定可能になる。
【００５５】
音のタイミング情報とは、音出力部１９２で出力される音の特徴的なタイミングを表す情報である。以下、音のタイミング情報により表されるタイミングを、音のタイミングと表記する。なお、ここでの音は狭義には楽曲であり、音のタイミングとは楽曲の特徴タイミングのうちの、基準タイミングに対応するタイミングである。楽曲の特徴タイミングとは、当該楽曲にとって特徴的なタイミングのことであり、例えば後述する拍のタイミングや、所定のパートの音が出力されるタイミングである。ただし、ここでの音とは特徴的なタイミングが規定可能な音であればよく、例えば一定の間隔、リズムで出力される効果音（ＳＥ）等の種々の音に拡張して考えることが可能である。
【００５６】
本実施形態の手法によれば、操作情報に基づいてアニメーション処理を行う場合において、基準タイミングと音のタイミングを合わせることで、アニメーションと音の連動性を高めることが可能になる。結果として、音に合わせて移動体（キャラクタ）を動作させている感覚、或いは、移動体を動作させることで音を奏でている感覚を、プレーヤに与えることが可能になる。本実施形態の手法では、プレーヤに爽快感、高揚感を与えるゲームシステムを実現することが可能になる。
【００５７】
またアニメーション処理部１０８は、音のタイミング情報に基づいて、アニメーション処理に用いられる移動体のアニメーション情報の調整処理を行う。より具体的には、アニメーション処理部１０８は、音のタイミング情報に合わせて移動体が動作するように、調整処理を行う。
【００５８】
アニメーション情報は、移動体に対して所定の動作を行わせるための情報であり、例えば図１６を用いて後述するように、移動体の姿勢（スケルトンの姿勢）を表す情報の集合である。本実施形態では、アニメーション情報の再生処理が実行されるタイミングは、プレーヤの操作情報によって決定されるため、アニメーション情報と音の時間的な関係（基準タイミングと音のタイミングの関係）は、操作情報が入力されるまでわからない。よって本実施形態では、アニメーション情報に対して調整処理を行う。このようにすれば、操作情報が入力されるタイミングによらず、音とアニメーションの連動性を高めることが可能になる。
【００５９】
またアニメーション情報には、キーフレームを表すキーフレーム情報が対応付けられており、アニメーション処理部１０８は、音のタイミング情報により表されるタイミングと、キーフレーム情報により表されるキーフレームの再生タイミングとが一致するように、調整処理を行う。即ち、基準タイミングは、キーフレームの再生タイミングであってもよい。
【００６０】
キーフレームとは、アニメーション情報を構成する複数のフレームのうちの特徴的なフレームを表す。キーフレームの再生タイミングと音のタイミングを一致させる（時間差を低減する）処理を行うことで、移動体のアニメーションと音を連動させるようなアニメーション情報の調整処理を実現することが可能になる。
【００６１】
またアニメーション処理部１０８は、アニメーション処理の対象となるアニメーション情報の決定処理を行い、決定されたアニメーション情報に対して調整処理を行う。このようにすれば、多様なアニメーション情報から適切なアニメーション情報を決定（選択）することが可能になる。
【００６２】
例えばアニメーション処理部１０８は、音のタイミング情報に基づいて、アニメーション情報の決定処理を行う。音のタイミング情報は上記のように移動体のアニメーションと音との連動性を決定する要素である。そのため、音のタイミング情報を用いることで、音とアニメーションの関係を考慮した決定処理、例えば音との連動性が高いアニメーション情報を再生対象とするような決定処理を実現できる。
【００６３】
また音のタイミング情報には、パラメータが関連づけられており、アニメーション処理部１０８は、当該パラメータに基づいて、アニメーション情報の決定処理を行う。狭義には、ゲーム内で再生される音は、楽曲情報により表される楽曲であり、パラメータは、音量、音程、及び音色の少なくとも１つに関するパラメータである。
【００６４】
ここで音量とは、音の大きさ（信号レベル）を表し、音程とは音の高低（信号の周波数）を表し、音色とは音の波形（信号波形、例えばエンベロープ）を表す。ただし音色に関するパラメータとして、音の出力元である楽器（パート）を表す情報を用いてもよい。
【００６５】
このようにすれば、音（楽曲）のパラメータに応じてアニメーション情報を決定することが可能になる。例えば静かな楽曲では動きの小さいアニメーション情報を対象して決定し、激しい楽曲では動きの大きいアニメーション情報を対象として決定する処理等が可能になる。
【００６６】
またアニメーション処理部１０８は、楽曲情報、プレーヤの操作情報、移動体が移動するフィールドの情報、及び移動体の状態を表す状態情報の少なくとも１つに基づいて、アニメーション情報の決定処理を行ってもよい。
【００６７】
楽曲情報とは、例えば上述した音量、音程、音色の情報であってもよいし、楽曲のジャンルや作曲者等の他の情報であってもよい。操作情報とは、例えば図２（Ａ）等のように多様な入力インターフェースを有する操作部１６０において、いずれの入力インターフェースが操作対象となったかを表す情報（操作の種類情報）である。また、移動体が移動するフィールドとは、例えば後述するフィールドＦＥであってもよいし、オブジェクトＯＢを含んでもよい。移動体の状態とは、例えば移動体の現在の位置、姿勢、移動速度や、過去の位置、姿勢、移動速度の履歴である。また移動体に体力や耐久度等のゲーム内パラメータが設定される場合、移動体の状態情報として当該パラメータを用いてもよい。このようにすれば、ゲーム内で用いられる多様な情報に基づいて、適切なアニメーション情報を再生処理の対象として決定することが可能になる。
【００６８】
また図１に示したように、本実施形態のゲームシステムは、ゲーム処理部１０４、楽曲再生部１１２、キャラクタ処理部１０６、判定部１１６を含む。ゲーム処理部１０４は、ゲームの進行処理を行う。楽曲再生部１１２は、楽曲の再生処理を行う。キャラクタ処理部１０６は、プレーヤの操作情報に基づいてプレーヤに対応するキャラクタを、ゲーム空間のフィールドにおいて移動させる処理を行う。判定部１１６は、プレーヤの操作情報に基づいて、フィールドに配置されるオブジェクトに対するキャラクタの動作が成功したか否かを判定する。本実施形態では、楽曲再生部１１２は、フィールドでのキャラクタの存在エリアに応じて抽出した、楽曲の一部である楽曲部分を再生する制御を行う。さらに楽曲再生部１１２は、判定部１１６での判定結果に基づいて、楽曲部分の再生態様を変化させる制御を行う。
【００６９】
ここでの楽曲部分とは、楽曲を演奏の時間軸方向に分割した一部（後述する時系列楽曲部分）、及び楽曲を楽曲パート毎に分割した一部（後述するパート楽曲部分）の少なくとも一方である。一例としては、後述するようにフィールドに設定される複数のエリアの各エリアに対して時系列楽曲部分が対応付けられており、楽曲再生部１１２は、キャラクタの存在エリアに基づいて、再生対象の時系列楽曲部分を決定する。そして楽曲再生部１１２は、再生態様を変化させる制御として、再生対象となるパート楽曲部分を変化させる制御を行う。ただし、所定エリアにギターを対応付け、他のエリアにドラムを対応付ける等、エリアに対してパート楽曲部分を対応付ける変形実施も可能である。
【００７０】
このようにすれば、プレーヤによるキャラクタの操作に対応した楽曲の再生処理が可能になる。プレーヤから見れば、キャラクタをどのエリアに移動させるかに応じて、楽曲部分の選択（狭義には時系列方向での楽曲制御）が可能であるし、オブジェクトに対する動作を成功させることで、再生態様の変更（パート方向での楽曲制御）が可能である。即ち、適切なエリア移動、及びオブジェクトに対する動作を行うことで、自然に楽曲を演奏できるような興趣性の高いゲームシステム（プログラム）を実現できる。本実施形態のゲームシステムは従来の音楽ゲームのような難しい操作が不要である。さらに、本実施形態におけるオブジェクトに対する動作は、従来のアクションゲームのような単なる移動手段ではなく、演奏（音の厚み）を決定する重要な要素となる。そのため、当該動作自体をアクロバティック、スタイリッシュにすることで、プレーヤに爽快感を与えるゲームシステムを実現できる。
【００７１】
また、本実施形態のゲームシステムは、オブジェクトを制御するオブジェクト制御部１１４を含む。オブジェクト制御部１１４は、判定部１１６での判定結果に基づいて、キャラクタの動作対象とは異なるオブジェクトに対する制御を行う。
【００７２】
ここでのオブジェクトに対する制御とは、オブジェクトの配置／非配置を切り替える制御であってもよいし、配置済みのオブジェクトを変形させる制御であってもよい。或いは、オブジェクトの配置位置、配置姿勢、配置対象となるオブジェクトの種類を動的に決定する制御であってもよい。或いは、オブジェクトを発光（点滅）させたり、色を変更する制御であってもよい。
【００７３】
このようにすれば、オブジェクトに対する動作の結果を、楽曲制御だけでなくオブジェクト制御に利用することが可能になる。本実施形態では、オブジェクトに対する動作が楽曲制御のトリガーとなる。そのため、キャラクタがオブジェクトに対する動作を継続的に行うように、プレーヤに対して操作を促す必要があると考えられる。さらに、適切なエリア移動が必要であること（エリアと楽曲部分が対応付けられているため）や、ゲームシステムの興趣性を高めることを考えた場合、同じオブジェクトを継続して動作対象とするのではなく、次々に異なるオブジェクトに対して動作が行われることが望ましい。その点、所与のオブジェクトに対する動作を、異なるオブジェクトに対する制御のトリガーとすることで、プレーヤを適切にガイドすること等が可能になる。より具体的には、現在の動作対象とは異なるオブジェクトを目立たせるような制御を行うことで、当該異なるオブジェクトが次の動作対象に適していることを、プレーヤに示すことが可能になる。
【００７４】
オブジェクト制御部１１４は、ゲームの進行履歴に基づいて、オブジェクトの制御を行う。ここでのゲームの進行履歴とは、ゲームの経過時間、キャラクタの進行方向、及びプレーヤの操作入力の結果、の少なくとも１つである。ここで、ゲームの経過時間とは、ゲーム開始時からの経過時間であってもよいし、楽曲の演奏開始からの経過時間であってもよいし、所与のエリアでの滞在時間であってもよい。キャラクタの進行方向とは、キャラクタの位置の変位を表す情報であり、例えば異なる２タイミング間でのキャラの位置の差分を表すベクトル情報である。操作入力の結果とは、狭義には判定部１１６の判定結果であり、過去の動作についての成功／失敗の情報や、成功回数、失敗回数の情報である。或いは、跳躍動作を何回実行した等の情報（後述する図２１における「動作属性」や、その実行回数等）を操作入力の結果として用いてもよい。
【００７５】
図３（Ａ）、図３（Ｂ）を用いて後述するように、キャラクタの背面に仮想カメラが配置される場合（三人称視点の場合）、プレーヤはキャラクタの進行方向の領域をゲーム画面上で観察することになる。よって、現在動作対象としているオブジェクトよりも、キャラクタの進行方向側に新たなオブジェクトを配置するような制御を行うことで、当該新たなオブジェクトの存在を明確にプレーヤに知らせることが可能になり、ゲームプレイをスムーズにできる。その他、経過時間や操作入力の結果を用いることで、ゲーム内の状況に合わせた柔軟なオブジェクト制御が可能になる。なお、ゲームの進行履歴は上記の情報に限定されず、ゲーム処理部１０４によるゲーム処理の過程で取得可能な種々の情報に拡張することが可能である。
【００７６】
またオブジェクト制御部１１４は、所与の条件が成立した場合に、オブジェクトの制御を楽曲のリズムに基づいて行う。このようにすれば、オブジェクトを楽曲に合わせて制御することが可能になる。例えば、オブジェクトの基準位置が設定されている場合において、当該基準位置に対するオブジェクトの変位量を、楽曲のリズムに合わせて変更する。このようにすれば、オブジェクトが楽曲に合わせて移動することになり、オブジェクトの挙動と楽曲の連動性を高めることが可能になる。
【００７７】
オブジェクト制御部１１４は、ゲーム処理部１０４により、キャラクタの存在エリアとは別のエリアにキャラクタを移動可能にする処理が行われた場合、又は、判定部１１６により、オブジェクトに対するキャラクタの動作が成功したと判定された場合に、所与の条件が成立したと判定する。このようにすれば、移動制限が解除されゲーム内でのフェーズが進行した場合や、キャラクタ動作が成功した場合に、オブジェクトの挙動と楽曲が連動することになる。つまり、ゲーム内での状況が変化した（狭義にはプレーヤにとって好ましい方向に変化した）ことが条件となるため、オブジェクトの挙動をゲーム内の盛り上がりに合わせることが可能になる。
【００７８】
またゲーム処理部１０４は、判定部１１６での判定結果に基づいて、キャラクタの存在エリアとは別のエリアにキャラクタを移動可能にする処理を行ってもよい。狭義には、ゲーム処理部１０４は、キャラクタが通行不可であった経路を通行可能にすることで、キャラクタを別のエリアに移動可能にする。
【００７９】
このようにすれば、エリアの移動制限を行うこと、当該移動制限を判定結果に基づいて解除することが可能になるとともに、移動制限の解除を経路の通行不可／通行可能の切り替えで実現することが可能になる。具体的には、オブジェクトに対する動作が成功することが移動制限解除の条件となるため、先のエリアに進むためにはプレーヤは適切な操作を行う必要があり、興趣性の高いゲームシステムを実現できる。なお、通行不可であった経路を通行可能にする制御は、上記オブジェクト制御により実現されてもよい。例えば、足場がなくて渡れない溝や上れない壁が設けられることで通行不可であった経路上に、移動用の足場オブジェクトを配置する制御を行ってもよい。当該制御は、例えばゲーム処理部１０４の指示に基づいて、オブジェクト制御部１１４が実行する。このようにすれば、判定部１１６の判定結果を用いたオブジェクト制御を行うことで、自然に移動制限を解除する制御を実現できる。
【００８０】
またゲーム処理部１０４は、ゲームの進行上の時間制限を制御する処理を行い、楽曲部分が関連づけられているエリア毎に、時間制限を行う。このように時間制限を設けた場合、ゲーム内での評価を高くするためには、各エリアを所定の時間内に通過することが必要となり、興趣性の高いゲームシステムを実現できる。特に、各エリアと時系列楽曲部分を対応付けた場合、時系列楽曲部分の演奏時間と時間制限を対応付けることで、プレーヤに対して自然に良い演奏を行わせることが可能になる。
【００８１】
またキャラクタ処理部１０６は、楽曲の再生速度と関連づけられた移動速度で、キャラクタを移動させる処理を行ってもよい。ここで楽曲の再生速度とは、例えば楽曲のテンポ（ＢＰＭの値）である。このようにすれば、テンポの速い楽曲ではキャラクタが速く移動し、テンポの遅い楽曲ではキャラクタがゆっくり移動するため、楽曲に合わせたキャラクタ処理を実現することが可能になる。
【００８２】
２．本実施形態の手法
次に本実施形態の手法について具体的に説明する。従来の音楽ゲームでは、ゲームシステム側で楽曲のリズムに応じた操作タイミングを指示し、プレーヤは指示された操作タイミングに合わせて操作を行う。しかし、従来の音楽ゲームで高評価を獲得するためには、適切なタイミングで適切な操作を行う必要があり、難易度が非常に高い。
【００８３】
また従来より、アクションゲームは広く知られており、例えば３次元マップ上でキャラクタを移動させるゲームがある。アクションゲームでは、プレーヤが操作するキャラクタに、パルクール或いはフリーランニングを行わせるものもある。パルクール（フリーランニング）とは、壁や地形を活かし、走る・跳ぶ・登るなどの動作を組み合わせて、目的地まで効率的に移動する手法である。キャラクタにパルクールを実行させることで、複雑な地形のマップ（或いは障害物が配置されたマップ）であっても、キャラクタがスムーズに移動することが可能になる。
【００８４】
しかし、従来のアクションゲームでは、パルクールはマップ上での移動手段に過ぎなかった。即ち、キャラクタによる跳ぶ・登る等のアクションは目的地に移動する過程で行われるものであり、それ自体がゲーム中で重要な意味を持つものではなかった。
【００８５】
そこで本実施形態では、音楽ゲームとアクションゲームを組み合わせたゲームシステムを提案する。以下、ゲームシステムの概要について説明する。なお、本実施形態の手法は下記ゲームシステムに適用するものに限定されず、格闘技ゲームやレースゲーム等の種々のゲームに適用可能である。また以下では移動体としてキャラクタを主に例にとり説明を行う。
【００８６】
２．１  フィールド・オブジェクトの設定とキャラクタの動作
図３（Ａ）は、本実施形態のゲームシステムにおける３次元マップの俯瞰図であり、図３（Ｂ）は表示部１９０に表示されるゲーム画面の例である。本実施形態に係るゲームシステムでは、仮想的な３次元空間に、キャラクタＣＡ（広義には移動体）が移動するための地形を表す３次元マップが構築される。３次元マップは、例えばフィールドＦＥと、オブジェクトＯＢ（図３（Ａ）の例ではＯＢ１，ＯＢ２）を含む。
【００８７】
フィールドＦＥは、キャラクタＣＡが移動可能な領域を表す。フィールドＦＥは、例えば図３（Ａ）に示すように地面に相当する水平面であるが、フィールドＦＥが斜面等を含んで構成されてもよい。オブジェクトＯＢは、フィールドＦＥ上に配置される物体（障害物）である。図３（Ａ）の例であれば、オブジェクトＯＢ１は円柱状の物体であり、オブジェクトＯＢ２は梁と支柱を含む平均台状の物体である。
【００８８】
以下では、フィールドＦＥは、キャラクタが特殊なアクション（跳躍、壁上り等）を必要とせずに移動（歩行，走行）可能な領域として説明を行う。また、オブジェクトＯＢは、当該オブジェクトＯＢが存在する経路上を移動するために、キャラクタＣＡが特殊な動作（アクション）をする必要がある領域（物体）である。オブジェクトＯＢは、歩行又は走行による通過が許容されない領域と言い換えることが可能である。
【００８９】
ただし、ここでのフィールドＦＥとオブジェクトＯＢの区別は便宜上のものであり、ゲーム処理部１０４での３次元マップの処理は任意の形態で実現可能である。例えば、ゲーム処理部１０４が、フィールドＦＥとオブジェクトＯＢを１つの３次元マップ情報として、まとめて処理してもよい。或いは、３次元マップの固定部分をフィールドＦＥとし、可動部分をオブジェクトＯＢとして処理を行ってもよい。
【００９０】
キャラクタＣＡは、プレーヤの操作に基づいて３次元マップ上を移動する。例えば、図２（Ａ）のアナログスティック１８を所定方向に倒す操作入力が行われることで、キャラクタＣＡは、フィールドＦＥ上を上記所定方向に対応する方向に歩行（走行）する。またキャラクタＣＡは、オブジェクトＯＢに対する動作を実行する。例えば、キャラクタＣＡがオブジェクトＯＢ１と所定の位置関係にある状態で、図２（Ａ）の操作ボタン（例えば１０、１１、１２、１３のいずれか）が押下されることで、キャラクタＣＡはＯＢ１を飛び越える跳躍動作を実行する。
【００９１】
また、３次元空間には仮想カメラＶＣが配置される。上述した表示処理部１２０の各処理により、図３（Ｂ）に示したように、表示部１９０には仮想カメラＶＣから３次元空間を撮像したかのような画像が表示される。
【００９２】
図４〜図６（Ｃ）は、オブジェクトＯＢに対するキャラクタＣＡの動作の例である。アニメーション情報記憶部１７４は、動作に応じたキャラクタＣＡのアニメーション情報を記憶しており、アニメーション処理部１０８は、当該アニメーション情報の再生処理を行うことで、キャラクタＣＡに所定の動作を実行させる。
【００９３】
図４は、円柱状のオブジェクトＯＢ１に対するキャラクタＣＡの動作を説明する図である。キャラクタＣＡは、オブジェクトＯＢ１に対して跳躍動作（vault）を行って、オブジェクトＯＢ１を飛び越える。跳躍動作は、例えば図４に示したように、オブジェクトＯＢ１の一方側から助走を行い（Ａ１）、左手をオブジェクトＯＢ１の上面に着けて両足を右側に振り上げ（Ａ２）、左手を離してオブジェクトＯＢ１の反対側の地面に着地する（Ａ３）という各工程を連続して行うことで実現される。なお、図４のＡ１〜Ａ３は跳躍動作のうちの代表的な姿勢の例示であり、Ａ１とＡ２の間（例えばＡ４やＡ５）、Ａ２とＡ３の間でも、キャラクタＣＡの姿勢は連続的に（滑らかな動作となるように）変化する。
【００９４】
図５（Ａ）〜図５（Ｃ）は、図４の跳躍動作に対応するゲーム画面の例である。図５（Ａ）がＡ１に対応し、図５（Ｂ）がＡ２に対応し、図５（Ｃ）がＡ３に対応する。
【００９５】
図６は、平均台状のオブジェクトＯＢ２に対するキャラクタＣＡの動作を説明する図である。キャラクタＣＡは、オブジェクトＯＢ２に対してスライディング動作を行って、オブジェクトＯＢ２の梁の下をくぐり抜ける。スライディング動作は、例えば図６に示したように、オブジェクトＯＢ２の一方側から助走を行い（Ｂ１）、両膝を付くような姿勢で地面を滑り（Ｂ２）、オブジェクトＯＢ２の反対側の地面で立つ（Ｂ３）という各工程を連続して行うことで実現される。
【００９６】
図７（Ａ）〜図７（Ｃ）は、図６のスライディング動作に対応するゲーム画面の例である。図７（Ａ）がＢ１に対応し、図７（Ｂ）がＢ２に対応し、図７（Ｃ）がＢ３に対応する。
【００９７】
２．２  楽曲部分と再生処理
以下、ゲーム内で出力される音が、楽曲情報により表される楽曲である例について説明する。本実施形態におけるゲームシステムでは、プレーヤによるキャラクタＣＡの操作に基づいて、音の出力制御が行われる。具体的には、楽曲を楽曲部分に分割し、いずれの楽曲部分を再生するかをプレーヤ操作に基づいて決定する。ここでの楽曲部分とは、楽曲を演奏の時間軸方向に分割した一部や楽曲を楽曲パート毎に分割した一部などである。
【００９８】
図８は、楽曲部分を説明する模式図である。楽曲は、一般的に曲調の異なる複数の部分から構成される。例えば、１つの楽曲はイントロ（Intro）、Ａメロ（1st Verse）、Ｂメロ（2nd Verse）、サビ（Chorus）等から構成される。楽曲に応じて、各部分が複数回現れたり、Ｃメロ（Bridge）が追加されることもあるが、ここではイントロ、Ａメロ、Ｂメロ、サビが時系列的に連続して演奏されることで、１つの楽曲が構成される例について説明する。即ち、イントロ、Ａメロ、Ｂメロ、サビのそれぞれが、時間軸方向での楽曲部分（以下、時間軸楽曲部分と表記）となる。
【００９９】
また、１つの時間軸楽曲部分（例えばＡメロ）に着目した場合、当該時間軸楽曲部分はさらにパートごとに分割できる。以下、パートごとの楽曲部分をパート楽曲部分と表記する。図８の例であれば、パート楽曲部分は「伴奏（リズム）」、「ギター」、「ドラム」、「キーボード」であり、「ギター」は、さらに「ギター１」、「ギター２」、「ギター３」に細分化される。
【０１００】
時間軸楽曲部分とパート楽曲部分の両方が特定されることで、具体的な音の情報（例えば音符の集合情報、メロディー）が特定される。図８の場合、例えば「Ａメロのギターパート１」、「Ａメロのドラムパート」、「Ａメロのキーボードパート」等のそれぞれに対して、音の情報が対応付けられる。
【０１０１】
楽曲再生部１１２は、図８の楽曲部分のうち、いずれの楽曲部分を再生対象とするかの決定処理を行い、決定された楽曲部分の再生処理を行う。具体的には、楽曲再生部１１２は、時系列楽曲部分のいずれか１つを選択する処理、及びパート楽曲部分の１又は複数を選択する処理を行う。以下、具体的に説明する。
【０１０２】
２．２．１  時系列楽曲部分の選択処理
本実施形態のゲームシステムでは、フィールドＦＥを複数のエリアに分割し、各エリアに時間軸楽曲部分を割り当てる。
【０１０３】
図９はフィールドＦＥに設定されるエリアと、時間軸楽曲部分の対応関係を説明する図である。図９の例では、フィールドＦＥには５つのエリアＡＲ１〜ＡＲ５が設定される。ＡＲ１は時系列楽曲部分のうち、イントロが対応する。ＡＲ２はＡメロに対応し、ＡＲ３はＢメロに対応し、ＡＲ４はサビに対応する。ＡＲ５はゴール領域であり、楽曲の終了に対応する領域である。なお、ＡＲ５をアウトロ（Outro，終結部）に対応させてもよい。
【０１０４】
楽曲再生部１１２は、プレーヤの操作するキャラクタＣＡが存在するエリアを判定し、当該エリアに対応する時系列楽曲部分を再生対象として選択する処理を行う。図９の例であれば、キャラクタＣＡがエリアＡＲ１に存在すると判定されたらイントロが再生対象となり、キャラクタＣＡがＡＲ２に存在すると判定されたらＡメロが再生対象となる。その他のエリアについても同様である。
【０１０５】
なお、具体的な再生位置、例えばＡメロの何秒目を再生すればよいかは、例えば経過時間の情報により特定される。例えば、キャラクタＣＡがＡＲ２にｘ秒だけ継続して存在している場合、楽曲再生部１１２は、音出力部１９２に対してＡメロのｘ秒目の出力を指示する。
【０１０６】
楽曲は時系列楽曲部分のそれぞれの長さが決まっている。例えば楽曲情報は、イントロが楽曲開始（０秒）からｔ１秒まで、Ａメロがｔ１秒からｔ２秒まで、Ｂメロがｔ２秒からｔ３秒まで、サビがｔ３秒からｔ４秒まで、という各時系列楽曲部分の再生タイミング（再生時間）の情報を含む。そのため、当該楽曲についての「良い演奏」とは、イントロ〜サビの各時系列楽曲部分を規定の長さだけ再生対象とする演奏である。
【０１０７】
つまり「良い演奏」を実現するための操作とは、初期存在エリアがＡＲ１であるキャラクタＣＡを、ｔ１秒経過時にＡＲ２に移動させ、ｔ２秒経過時にＡＲ３に移動させ、ｔ３秒経過時にＡＲ４に移動させ、ｔ４秒経過時にＡＲ５に移動させる、という操作になる。このような操作がプレーヤにより行われた場合、時系列楽曲部分の遷移がスムーズに行われ、プレーヤに爽快感を与えることが可能になる。
【０１０８】
ただし、望ましい遷移タイミング（上述したｔ１〜ｔ４等）は、楽曲自体を暗記しているプレーヤや、音楽的な知識が豊富なプレーヤでなければ把握が難しく、エリア移動を完全にプレーヤに委ねたのではゲームの難易度が高くなってしまう。よって本実施形態のゲームシステムでは、エリア間の移動をガイドするためのガイドキャラクタをゲーム画面上に表示してもよい。例えば、ガイドキャラクタは、図３（Ａ）に示した３次元空間のうち、ゲーム画面で視認しやすい高い位置を飛んで移動する鳥等の飛行オブジェクトである。
【０１０９】
図９のＲＯは、ガイドキャラクタの移動経路の例である。ＲＯに示したように、ガイドキャラクタは、ＡＲ１からＡＲ５を順次移動する。そしてガイドキャラクタは、ＡＲ１とＡＲ２の境界である地点Ｐ１を楽曲開始からｔ１秒だけ経過したタイミングで通過するように、移動制御が行われる。同様にガイドキャラクタは、Ｐ２をｔ２秒で通過し、Ｐ３をｔ３秒で通過し、Ｐ４をｔ４秒で通過するように制御される。プレーヤは自身の操作するキャラクタＣＡをガイドキャラクタに合わせて移動させることで、自然に「良い演奏」を実現することが可能になる。
【０１１０】
なお、ここではエリア間の移動がいつでも実行可能であることを想定している。ただし、エリア間の移動を制限し、所与の条件が満たされた場合に当該制限を解除する変形実施も可能である。詳細については後述する。
【０１１１】
２．２．２  パート楽曲部分の選択処理（再生態様の変更制御）
キャラクタＣＡが所定のエリア（例えばＡＲ３）に存在すると判定され、対応する時系列楽曲部分（例えばＢメロ）が再生される際、ギターパートのみが再生対象となる場合に比べて、ギター、ドラム、キーボードの３つのパートが再生対象となる方が、音の厚みが増すため「良い演奏」になると考えられる。或いは、ギターについても１小節に少数の音を演奏する場合に比べて、多数の音を演奏する場合の方が複雑な演奏であり「良い演奏」になると考えられる。なお、音の数は時系列方向で増やすもの（２分音符１つを４分音符２つに変える等）であってもよいし、１タイミングでの音を増やすもの（単音を和音に変える等）であってもよい。
【０１１２】
本実施形態では、キャラクタＣＡのオブジェクトＯＢに対する動作が成功したか否かを判定部１１６が判定し、楽曲再生部１１２は、判定結果に基づいてパート楽曲部分の選択処理を行う。オブジェクトＯＢに対する動作が成功すればするほど、選択されるパート数が増えたり、同じパートであっても単位時間当たり（例えば１小節当たり）の音の数が多い楽曲部分が選択対象となる。
【０１１３】
例えば本実施形態では、判定部１１６の判定結果に基づいて、パラメータ（以下、ビートパラメータと記載）を更新する。ビートパラメータは、キャラクタＣＡのオブジェクトＯＢに対する動作が成功したと判定された場合に増加し、失敗したと判定された場合に減少（或いは維持）されるパラメータである。
【０１１４】
図１０は、ビートパラメータと、再生対象として選択されるパート楽曲部分の対応関係の例である。図１０に示すように、ビートパラメータがｔｈ１未満の場合は、伴奏（リズム）のみが再生対象となる。ここでの伴奏（リズム）とは、ベース等の演奏が行われるパートであってもよいし、単純に拍のタイミング（例えば後述する図１７のＣ１又はＣ２）で音が出力されるパートであってもよいし、ワルツやボレロ等の楽曲の種類に応じて音の出力タイミングが決定されるパートであってもよい。
【０１１５】
ビートパラメータがｔｈ１以上になると、伴奏（リズム）に加えて、ギター１が再生対象として選択される。ギター１は、ギターパートのうち相対的に音の数が少ない楽曲部分である。ビートパラメータがｔｈ１以上ｔｈ２未満では、伴奏と音の少ないギターパートというシンプルな楽曲が出力される。
【０１１６】
ビートパラメータがｔｈ２以上になると、伴奏（リズム）に加えて、ギター２が再生対象として選択される。ギター２は、ギター１に比べて音の数が多い楽曲部分である。ビートパラメータがｔｈ２以上ｔｈ３未満では、伴奏とギターという組み合わせはｔｈ１以上ｔｈ２未満の場合と同様であるが、ギターの音の数が増えて厚みが増す。
【０１１７】
ビートパラメータがｔｈ３以上になると、伴奏（リズム）、ギター３及びドラムが再生対象として選択される。ギター３は、ギター２に比べてさらに音の数が多い楽曲部分である。ビートパラメータがｔｈ３以上ｔｈ４未満では、ギターの音が増え、さらに楽器の種類も増えるため、ｔｈ３未満の場合に比べて音の厚みが増す。
【０１１８】
ビートパラメータがｔｈ４以上になると、伴奏（リズム）、ギター３、ドラム及びキーボードが再生対象として選択される。この場合、さらに楽器の種類が増えるため、ｔｈ４未満の場合に比べて音の厚みが増す。
【０１１９】
オブジェクトＯＢに対するキャラクタＣＡの動作が成功したか否かは、オブジェクトＯＢの種類と、プレーヤによる操作入力（例えばプレーヤが押下したボタンの種類）の組み合わせを判定すればよい。例えば、オブジェクトＯＢ１の前で跳躍系の動作に対応するボタンを押下すれば図４の動作が成功したと判定され、オブジェクトＯＢ２の前でスライディング系の動作に対応するボタンを押下すれば図６の動作が成功する。例えば記憶部１７０は、オブジェクトの種類と、成功と判定される操作入力を対応付ける対応付け情報を記憶しておき、判定部１１６は当該対応付け情報を参照して判定処理を実行する。
【０１２０】
下に隙間のないオブジェクトＯＢ１の前でスライディング系の動作に対応するボタンを押下したり、オブジェクトＯＢに歩いて衝突した場合は動作が失敗したと判定される。なお、オブジェクトＯＢ２は跳躍により飛び越えることも可能であるため、所与の種類のオブジェクトＯＢに対して、成功と判定される操作入力が複数あることは妨げられない。
【０１２１】
このように、オブジェクトＯＢに対するキャラクタＣＡの動作は、容易なプレーヤ操作により成功させることが可能である。そして図１０に示したように、オブジェクトＯＢに対する操作が成功すれば、音に厚みが出る。つまり本実施形態では、音楽的な知識が無かったりリズム感に乏しいプレーヤでも、容易に「良い演奏」を実現することができ、興趣性の高いゲームシステムを実現可能である。
【０１２２】
なお、以上の説明からわかるように「良い演奏」を実現するには、多数のオブジェクトＯＢを対象としてキャラクタＣＡに動作を行わせることが好ましい。しかし図９に示したように、ガイドキャラクタの移動経路ＲＯは比較的シンプルに設定される。そのため、例えば図９の例であればＡＲ２１やＡＲ４１のように、ガイドキャラクタの移動経路ＲＯからの距離が比較的遠い位置に、広い領域が存在することが考えられる。キャラクタＣＡの移動をガイドキャラクタの移動経路ＲＯに合わせてしまうと、ＡＲ２１やＡＲ４１等の領域に配置されたオブジェクトＯＢは、キャラクタＣＡによる動作の対象から外れてしまう。
【０１２３】
時系列楽曲部分の遷移のみを考えれば、ガイドキャラクタから離れないようにキャラクタＣＡを移動させればよいが、パート楽曲部分の選択を考慮すれば、あえてガイドキャラクタから離れて、ＡＲ２１やＡＲ４１等の領域のオブジェクトＯＢでの動作を行う必要が出てくる。本実施形態では、安全を考慮してガイドキャラクタに追従するか、リスクを冒してガイドキャラクタから離れることでさらなる高評価を狙うか、という判断をプレーヤに行わせることで、興趣性の高いゲームシステムを実現できる。
【０１２４】
なお、同じオブジェクトＯＢに対して繰り返し動作を実行する場合はビートパラメータの増加幅を小さくし、新たなオブジェクトＯＢに対して動作を実行する場合はビートパラメータの増加幅を大きくしてもよい。或いは、ガイドキャラクタの移動経路ＲＯに近いオブジェクトＯＢに対する動作を実行する場合はビートパラメータの増加幅を小さくし、移動経路ＲＯから遠いオブジェクトＯＢに対して動作を実行する場合はビートパラメータの増加幅を大きくしてもよい。このようにすれば、ビートパラメータを効率的に上昇させるためには、ガイドキャラクタから離れる必要性が高くなるため、より興趣性の高いゲームシステムを実現できる。
【０１２５】
図１１（Ａ）は本実施形態の処理を説明するフローチャートである。図１１（Ａ）は、例えばフレームごとに実行される処理である。この処理が開始されると、ゲーム処理部１０４は、操作部１６０に対してプレーヤの操作入力が行われたか否かを判定する（Ｓ１０１）。操作入力が行われた場合（Ｓ１０１でＹｅｓ）、アニメーション処理部１０８は、操作入力に対応する動作をキャラクタに実行させるためのアニメーション処理を行う（Ｓ１０２）。Ｓ１０２の詳細については図２０等を用いて後述する。
【０１２６】
Ｓ１０２の処理後、又はＳ１０１でＮｏの場合、ビートパラメータの更新処理が行われる（Ｓ１０３）。図１１（Ｂ）は、ビートパラメータの更新処理を説明するフローチャートである。この処理では、キャラクタＣＡのオブジェクトＯＢに対する動作の判定が行われる（Ｓ２０１）。動作が成功した場合、ビートパラメータを増加させ（Ｓ２０２）、動作が失敗した場合、ビートパラメータを減少させる（Ｓ２０３）。そもそもオブジェクトＯＢに対する動作が行われていない場合（操作入力自体がなかった場合、操作入力がフィールドＦＥを歩行、走行するだけの操作であった場合等）、ビートパラメータは変更されない（Ｓ２０４）。なお、上述したように、オブジェクトＯＢの種類や配置に応じて、ビートパラメータの変更幅を調整してもよい。或いは、動作が連続して成功した場合（コンボが成立した場合）は、単発での成功に比べて増加幅を大きくする等の変形実施も可能である。
【０１２７】
プレーヤが何も操作していない時間が継続している場合に、厚みのある演奏が継続されてしまうことは好ましくないため、動作の失敗以外の要因でもビートパラメータを減少させる必要がある。しかし、ビートパラメータの値を急激に変化させる（例えば短時間で初期値に戻す）と、厚みのあった演奏が急に伴奏のみに変化することになるため、プレーヤに違和感を与えてしまう。よって本実施形態では、経過時間に関する情報に基づいてビートパラメータを変化させる。
【０１２８】
例えばゲーム処理部１０４は、所定時間の経過ごとに、ビートパラメータを所定値だけ減少させる（Ｓ２０５）。このようにすれば、プレーヤに違和感を与えないようなビートパラメータの管理が可能になる。また、ビートパラメータを高い値に維持するためには、継続的にオブジェクトＯＢに対する動作を成功させる必要が出てくるため、興趣性の高いゲームシステムを実現することも可能である。
【０１２９】
図１１（Ａ）に戻って説明を続ける。ビートパラメータの更新処理が完了したら、楽曲再生部１１２は、更新後のビートパラメータに基づいて、楽曲制御を行う（Ｓ１０４）。具体的には、キャラクタＣＡの存在エリアに基づいて時系列楽曲部分を決定し、ビートパラメータに基づいてパート楽曲部分を決定する。
【０１３０】
またビートパラメータは、フィールドＦＥに配置されるオブジェクトＯＢの制御に利用されてもよい（Ｓ１０５）。
【０１３１】
２．３  オブジェクト制御
図１１（Ａ）のＳ１０５に示したオブジェクトＯＢの制御の例について説明する。オブジェクトＯＢは、フィールドＦＥの所定位置に固定配置されることは妨げられない。ただし、オブジェクトＯＢがあらかじめ固定されている場合、複数のオブジェクトＯＢをどのような順番で移動していけばよいか、プレーヤにとってわかりにくくなってしまう。
【０１３２】
よって本実施形態のオブジェクト制御部１１４は、判定部１１６での判定結果に基づいて、キャラクタＣＡの動作対象になっているオブジェクトとは異なるオブジェクトに対する制御を行う。例えば、所与のオブジェクトＯＢに対する動作が成功した場合に、当該オブジェクトの近傍に次のオブジェクトＯＢが現れるように、オブジェクトＯＢの制御（３次元マップの更新処理）を行う。
【０１３３】
図１２は、オブジェクト制御の具体例であり、オブジェクトＯＢ１及びＯＢ２については図３（Ａ）等と同様である。図１２では、プレーヤの操作により、キャラクタＣＡはオブジェクトＯＢ１に対する動作、及びオブジェクトＯＢ２に対する動作を行い、判定部１１６は動作が成功したと判定した。この場合、オブジェクト制御部１１４は、動作終了時のキャラクタＣＡの現在位置より、キャラクタＣＡの移動方向Ｖｍ側の位置に、新たにオブジェクトＯＢ３、ＯＢ４を配置する。移動方向Ｖｍは、例えばキャラクタＣＡの現在位置と、過去の位置との差分を表すベクトルである。新たなオブジェクトＯＢ（ＯＢ３，ＯＢ４）は、瞬間的に現れてもよいし、フィールドＦＥの面からせり上がるように現れてもよい。或いは、変形例として後述するように、オブジェクトＯＢの動きを楽曲に合わせてもよい。
【０１３４】
このようにキャラクタの視界内（仮想カメラＶＣの撮像範囲内、ゲーム画面内）に入るように、次のオブジェクトを配置すれば、プレーヤは次々に現れるオブジェクトＯＢを対象として順次キャラクタＣＡの動作を実行すればよく、フィールドＦＥ内を適切に移動することが可能になる。図１２の例であれば、プレーヤは、オブジェクトＯＢ２を対象とした操作後、自然にオブジェクトＯＢ３、ＯＢ４を対象とした操作を行うことが可能になる。
【０１３５】
なお、フィールドＦＥ内でオブジェクトＯＢを配置可能な領域と、当該領域に配置されるオブジェクトの種類（形状）があらかじめ固定されていてもよい。この場合、オブジェクトＯＢの制御とは、各領域についてオブジェクトＯＢを出現させるか否かの制御となる。また、１つの領域について、配置可能なオブジェクトＯＢが複数通り設定されており、オブジェクト制御部１１４は、そのうちのいずれの種類のオブジェクトＯＢを出現させるかの制御を行ってもよい。或いは、フィールドＦＥの任意の位置に任意の種類のオブジェクトＯＢを配置可能にしておき、オブジェクト制御部１１４は、オブジェクトＯＢの種類及び配置位置を動的に決定してもよい。
【０１３６】
広義には、オブジェクトの制御には、ゲームの進行履歴が用いられる。ゲームの進行履歴とは、キャラクタの進行方向、及びプレーヤの操作入力の結果を含む。上記の例であれば、オブジェクトＯＢ１やＯＢ２に対する動作が成功したという操作入力の結果が取得された場合に、キャラクタの進行方向に新たなオブジェクト（ＯＢ３，ＯＢ４）を配置するオブジェクト制御が行われる。ただし、他の進行履歴を用いてオブジェクトＯＢの制御が行われてもよい。例えば、オブジェクト制御部１１４は、ゲームの経過時間に基づいて、オブジェクトの制御を行う。
【０１３７】
例えば図９の例において、キャラクタＣＡがエリアＡＲ２に存在する場合を考える。演奏開始からの経過時間Ｔがｔ１＜Ｔ＜ｔ２であり、且つＴとｔ２の差が十分大きい場合、キャラクタＣＡはある程度の時間エリアＡＲ２に留まる余裕があり、ＡＲ３への移動を急ぐ必要がない。この場合、オブジェクト制御部１１４は、エリアＡＲ３からの距離が相対的に遠い位置に次のオブジェクトＯＢを配置する制御を行う。このようにすれば、エリアＡＲ２内に効率的にオブジェクトＯＢを配置し、キャラクタＣＡのオブジェクトＯＢに対する動作回数を増やすことが可能になる。
【０１３８】
Ｔとｔ２の差が小さい場合、時系列楽曲部分の遷移を考慮すれば、ＡＲ３への移動を念頭においたキャラクタＣＡの操作を、プレーヤに実行させるとよい。この場合、オブジェクト制御部１１４は、エリアＡＲ３からの距離が相対的に近い位置に次のオブジェクトＯＢを配置する制御を行う。このようにすれば、キャラクタＣＡのエリアＡＲ３への移動をスムーズに行わせることが可能になる。このように経過時間を考慮してオブジェクトＯＢを制御することで、ゲーム初心者であっても、時系列楽曲部分の遷移と、パート楽曲部分の選択のバランスがとれた、好ましい演奏を実現することが可能になる。
【０１３９】
或いは、オブジェクト制御部１１４は、一旦出現させたオブジェクトＯＢを所定時間の経過を条件に消失させる（非配置とする）制御を行ってもよい。このようにすれば、プレーヤはオブジェクトＯＢの出現後、速やかに当該オブジェクトＯＢの位置まで移動しなければ動作を実行できない。換言すれば、プレーヤがスムーズにキャラクタ操作を行った場合に、多数のオブジェクトＯＢで動作を行って楽曲の音を厚くすることが可能になり、興趣性の高いゲームシステムを実現できる。
【０１４０】
また、プレーヤの操作入力の結果に基づくオブジェクト制御とは、キャラクタＣＡのオブジェクトＯＢに対する動作が成功した場合に次のオブジェクトＯＢを追加し、失敗した場合に追加しない、といった単純な制御であってもよい。ただし、プレーヤの操作入力の結果として、より複雑な情報、例えば上述したビートパラメータの値を用いてもよい。
【０１４１】
例えばオブジェクト制御部１１４は、ビートパラメータが高い場合には、低い場合に比べて追加されるオブジェクトＯＢの数を多くしたり、追加されるオブジェクトＯＢの形状を複雑にする。このようにすれば、ビートパラメータが高いほど、追加されるオブジェクトＯＢに対するキャラクタＣＡの動作回数が増えたり、実行する動作が複雑に（派手に）なる。つまり、それまでの操作がうまくいっているほど、キャラクタＣＡに派手な動作を繰り出させることが可能になるため、興趣性の高いゲームシステムを実現できる。
【０１４２】
図１３は、オブジェクト制御部１１４での処理を説明するフローチャートであり、図１１（Ａ）のＳ１０５の処理に対応する。この処理が開始されると、オブジェクト制御部１１４は、ゲーム進行履歴を取得する（Ｓ３０１）。具体的には、ゲームの経過時間、キャラクタの進行方向、及びプレーヤの操作入力の結果を取得する。
【０１４３】
次にオブジェクト制御部１１４は、取得したゲーム進行履歴に基づいて、オブジェクトの配置位置の決定（Ｓ３０２）、及び追加配置するオブジェクトＯＢの数、種類の決定を行う（Ｓ３０３）。そしてオブジェクト制御部は、Ｓ３０２及びＳ３０３で決定した内容に基づいて、オブジェクトＯＢを実際に配置する処理、即ち３次元マップの更新処理を行う（Ｓ３０４）。
【０１４４】
２．４  アニメーション処理
以上で説明した手法により、キャラクタＣＡに種々の動作を行わせることで、自然に楽曲を演奏している感覚をプレーヤに与えることが可能になる。従来の音楽ゲームのように「良い演奏」のために複雑な操作が必要なく、また動作自体がアクロバティックであるため、プレーヤに強い爽快感を与えることが可能である。
【０１４５】
しかし、キャラクタＣＡが実行する動作には、当該動作において特徴的なタイミング（フレーム、姿勢）が存在する。例えば図４〜図５（Ｃ）に示した跳躍動作であれば、オブジェクトＯＢ１の上面に左手を付いて両足を振り上げる姿勢（Ａ２）が特徴的である。そのため、Ａ２（図５（Ｂ））等の動作における特徴的なタイミング（以下、動作特徴タイミング）と、楽曲における特徴的なタイミング（以下、楽曲特徴タイミング）とが一致することが望ましい。動作特徴タイミングと楽曲特徴タイミングとの時間差が大きい場合、動作と楽曲の連動性が損なわれ、動作を用いて楽曲を演奏しているという感覚をプレーヤに与えることが難しくなってしまう。
【０１４６】
楽曲に合わせて動作するキャラクタアニメーションについては特許文献２に開示がある。しかし、特許文献２ではキャラクタの動作とプレーヤ操作が関連しないため、楽曲が決定された段階で当該楽曲に適したアニメーションを決定できる。それに対して本実施形態では、キャラクタＣＡの動作はプレーヤの操作入力に基づいて決定される。楽曲のどのタイミングで、どのような動作が実行されるかを事前に知ることができないため、特許文献２の手法を適用することは困難である。
【０１４７】
以下、キャラクタの動作と楽曲とをシンクロさせるためのアニメーション処理について説明する。
【０１４８】
２．４．１  基本的なアニメーション処理
アニメーション処理部１０８はアニメーション処理を行う。即ちキャラクタＣＡにアニメーション（モーション）を行わせるアニメーション再生処理を行う。このアニメーション再生処理は、アニメーション情報記憶部１７４に記憶されているアニメーション情報を再生することなどで実現できる。
【０１４９】
例えば図１４に示すように、キャラクタＣＡ等を表すモデルオブジェクトＭＯＢは、複数のパーツオブジェクト（腰３２、胸３４、首３６、頭３８、右上腕４０、右前腕４２、右手４４、左上腕４６、左前腕４８、左手５０、右股５２、右すね５４、右足５６、左股５８、左すね６０、左足６２）により構成されている。そして、これらのパーツオブジェクト（部位）の位置や回転角度（方向）は、スケルトンモデルを構成する骨Ｂ０〜Ｂ１９の位置（関節Ｊ０〜Ｊ１５の位置）や回転角度（親の骨に対する子の骨の相対的な回転角度）により特定される。なお、これらの骨、関節は仮想的なものであり、現実に表示されるオブジェクトではない。
【０１５０】
アニメーション情報記憶部１７４には、例えば、これらの骨（パーツオブジェクト、関節）の位置、回転角度がアニメーション情報（モーション情報）として記憶される。具体的には図１５に示すように、親の骨ＢＭＰに対する子の骨ＢＭＣの、Ｘ軸、Ｙ軸、Ｚ軸回りの回転角度α、β、γ等が、アニメーション情報として記憶される。
【０１５１】
なお、アニメーション情報の構造等は、図１４、図１５に限定されず、種々の変形実施が可能である。例えば骨の回転角度だけをアニメーション情報に含ませて、骨の位置（関節の位置）についてはモデルオブジェクトのモデルデータの中に含ませてもよい。また図１４の骨Ｂ１〜Ｂ１９以外に、モーション骨によるモデルオブジェクトの変形を補助する補助骨を設けてもよい。
【０１５２】
図１６に本実施形態で使用されるアニメーション情報のデータ構造の例を示す。１つのアニメーション情報は、例えば時系列的に並べられた複数の姿勢データの集合であり、姿勢データは例えば各骨の回転角度を表すデータの集合である。図１６は、図４に示した跳躍動作を実現するためのアニメーション情報の例であり、当該跳躍動作は０〜Ｎ（Ｎは正の整数）の各フレームにおいて、キャラクタＣＡに対応する姿勢を取らせることで実現される。例えば図１６の０フレーム目が図４のＡ１に対応し、ｋ（ｋは１＜ｋ＜Ｎの整数）フレーム目がＡ２に対応し、Ｎフレーム目がＡ３に対応する。
【０１５３】
またアニメーション情報は、キーフレームの情報を含む。キーフレームとは、当該アニメーション情報に対応するキャラクタＣＡの動作における、動作特徴タイミングを表すフレームのことである。例えば図１６のアニメーション情報は、Ａ２に対応するｋフレーム目がキーフレームであるという情報を含んでいる。即ち、処理対象（再生対象）であるアニメーション情報が決定されれば、当該アニメーション情報内でのキーフレームの位置、例えば「アニメーションの再生開始からｋフレーム目」という相対的なタイミングを特定可能である。
【０１５４】
一方、楽曲側にも特徴的なタイミングが存在する。楽曲特徴タイミングは、例えば楽曲の拍のタイミングである。拍とは楽曲における基本的なリズムであって、拍のタイミングとは、４／４拍子の例であれば、図１７のＣ１のタイミングや、図１７のＣ２に示す裏拍と呼ばれるタイミングである。なお、具体的なタイミング間隔（拍の長さ、テンポ）は楽曲の速さ（ＢＰＭの値）に応じて変化する。特徴的なタイミングは楽曲の構成に依存することになるが、楽曲が特定されれば当該楽曲における楽曲特徴タイミングは特定可能である。なお、時系列楽曲部分に応じて楽曲特徴タイミングが変化する楽曲を用いてもよく、時系列楽曲部分に基づいて楽曲特徴タイミングが特定されてもよい。
【０１５５】
図１８は、楽曲特徴タイミングと動作特徴タイミング（アニメーション情報のキーフレーム）の関係を示す図である。図１８の横軸は実時間であり、例えばゲーム開始からの経過時間（単位：ｍｓｅｃ）である。楽曲の再生が途中で停止することがないと仮定すれば、経過時間軸上での楽曲特徴タイミングの位置は、楽曲の再生開始時点で特定可能である。
【０１５６】
またアニメーション処理部１０８は、プレーヤの操作入力に基づいて、再生対象であるアニメーション情報の特定、及び、当該アニメーション情報の再生開始タイミングの特定処理を行う。具体的には、キャラクタＣＡの近傍に位置するオブジェクトＯＢの種類と、プレーヤによる操作入力の種類（例えば押下されたボタンの種類）に基づいて、再生対象であるアニメーション情報が特定される。また、プレーヤによる操作入力が実行されたタイミングに基づいて、アニメーション情報の再生開始タイミングが特定される。
【０１５７】
図１８では、ｔＳのタイミングを開始タイミングとして、図１６に示したアニメーション情報を再生する、という特定処理が行われた例を示している。フレームレートはゲームシステムの設計上既知であるため、経過時間軸上での各フレームの位置を特定することは容易である。或いは、アニメーション情報自体が、フレーム単位ではなく時間単位（例えばｍｓｅｃ単位）で姿勢データを保持していてもよい。
【０１５８】
図１８に示すように、経過時間軸上でのキーフレームの位置（ｔＫ）と、楽曲特徴タイミング（ｔｍ１〜ｔｍ５）は一致しない。そのため、ここままアニメーション情報の再生処理を行うと、動作と楽曲の連動性が損なわれる。
【０１５９】
そこで本実施形態のタイミング処理部１１０は、基準タイミング、及び音のタイミングの特定処理を行い、アニメーション処理部１０８は、音のタイミングに合わせて、キャラクタＣＡ（広義には移動体）のアニメーション処理を行う。より具体的には、アニメーション処理部１０８は、音のタイミングに基づいて、アニメーション処理に用いられるアニメーション情報の調整処理を行うものであり、音のタイミング情報に合わせてキャラクタＣＡが動作するように、調整処理を行う。
【０１６０】
図１９は、調整処理を説明する図である。図１８に示したように、ｔＳを開始タイミングとして単純に図１６のアニメーション情報の再生処理を行った場合、キーフレームの再生タイミングは、いずれの楽曲特徴タイミングとも一致しない。
【０１６１】
よって本実施形態では、タイミング処理部１１０は、まずキーフレームの再生タイミングを基準タイミングとして特定する。そしてタイミング処理部１１０は、基準タイミングに基づいて、調整先となる楽曲特徴タイミングである音のタイミングを特定する。図１９の例であれば、基準タイミングとは調整前のキーフレームの再生タイミングであるｔＫであり、再生開始タイミングｔＳとアニメーション情報（図１６）から特定可能である。また、音のタイミングｔＭとは、基準タイミングより時間的に後、且つ、基準タイミングに近い楽曲特徴タイミングであり、例えばｔＭ＝ｔｍ３である。ただし、ｔｍ４やｔｍ５が音のタイミングとなることは妨げられない。
【０１６２】
アニメーション処理部１０８は、特定された基準タイミングｔＫを、音のタイミングｔＭに一致させるような調整処理を行う。なお、ここでの一致させる処理とは、完全一致させる処理に限定されず、プレーヤに違和感を与えない程度に時間差を小さくする処理を含む。
【０１６３】
単純な調整処理としては、（１）アニメーションの再生開始タイミングを遅らせる処理、（２）キーフレームよりも前の所定範囲をスロー再生する処理、（３）キーフレーム前の所与のフレームをコピーして追加する処理、等が考えられる。（１）〜（３）は、いずれも基準タイミングを時間的に後方にずらす処理であるため、ずれ量を基準タイミングと音のタイミングの時間差に合わせることで、基準タイミングと音のタイミングを一致させられる。
【０１６４】
しかし、上記（１）〜（３）の処理では、キャラクタＣＡの動作が不自然になる場面も出てくる。例えば（１）の処理では、プレーヤが操作を行ってからキャラクタＣＡが動き出すまでのタイムラグが大きくなる。また（２）の処理では、キャラクタＣＡの動作が遅くなるし、（３）の処理では、キャラクタＣＡの動作が所定姿勢で一時停止する。例えば格闘ゲームにおいて、腕を前方に打ち抜くパンチアニメーションを再生する場合、前方へ腕を振り出す動作がスロー再生されてはパンチの迫力に欠けるし、途中で腕が停止してしまっては攻撃アニメーションとして明らかに不自然である。
【０１６５】
よって本実施形態の調整処理は、調整後のアニメーションが不自然とならないように行われることが望ましい。例えば、（１）の調整処理は、動き出しまでのタイムラグが小さい場合、具体的には基準タイミングと音のタイミングの時間差（例えば調整前のｔＫとｔＭの差）がある程度小さい場合に用いられる。
【０１６６】
（２）の調整処理は、スロー再生されても違和感を与えないような動作範囲を対象として実行される。例えば、パンチアニメーションにおいて、腕を振りかぶるテイクバック動作は多少ゆっくりでも問題無い。よってテイクバック動作に対応するフレーム範囲を対象として、（２）の調整処理を実行するとよい。スロー再生する処理は、具体的には補間処理を行ってフレームを追加する処理により実現できる。例えば各アニメーション情報は、（２）の調整処理の対象とできるフレーム範囲や、各フレーム範囲の調整可能幅の情報を含んでもよい。ここでの調整可能幅とは、広義には、当該フレーム範囲の動作をどの程度間延びさせても不自然にならないかを表すパラメータである。
【０１６７】
また、（３）の調整処理は、同じ姿勢が継続されても違和感を与えないようなフレームを対象として実行される。例えばパンチアニメーションにおいて、テイクバック後、且つ腕を振り出す前の姿勢で停止することは、力をためる動作、狙いを定める動作と捉えられるため不自然でない。よって当該フレームをコピー対象として（３）の調整処理を行うとよい。また、コピー対象は１フレームに限定されず、複数のフレームを対象としてもよい。例えば図４の跳躍動作の場合、助走の歩数を増やせばキーフレームの再生タイミングを遅らせることができ、且つ、歩数が増えることは動作として不自然でない。よって助走の２歩に対応するフレーム区間をコピーの対象として（３）の調整処理を行ってもよい。コピーしたフレームの追加箇所や、踏み切る足、動作開始時に踏み出す足等の調整まで考慮すれば、助走の１歩に対応するフレーム区間をコピーの対象とすることも妨げられない。各アニメーション情報は、（３）の調整処理の対象とできるフレーム（フレーム範囲）の情報を含んでもよい。
【０１６８】
また、（２）と（３）の調整処理を組み合わせることも妨げられない。例えば、助走の歩数を増やす（３）の調整処理を行いつつ、助走のピッチを変更する（２）の調整処理を行う。このようにすれば、キャラクタＣＡに自然な動作を行わせつつ、キーフレームの再生タイミングを柔軟に変更することが可能になる。当然、（１）の調整処理との組み合わせも妨げられない。
【０１６９】
図２０は、アニメーション処理を説明するフローチャートである。図２０は、図１１（Ａ）のＳ１０２の処理に対応する。この処理が開始されると、Ｓ１０１での操作入力に基づく操作情報が取得される（Ｓ４０１）。Ｓ４０１での処理は、例えばプレーヤにより押下されたボタンを特定する情報の取得処理である。
【０１７０】
またキャラクタＣＡの存在エリアに基づいて、再生対象となる時系列楽曲部分が特定される（Ｓ４０２）。なお、図２０には不図示であるが、再生対象となるパート楽曲部分が特定されてもよい。この処理は、楽曲再生部１１２で行われる。また、楽曲自体から楽曲特徴タイミングが特定可能である場合、Ｓ４０２の処理は省略可能である。
【０１７１】
アニメーション処理部１０８は、キャラクタＣＡの近傍に位置するオブジェクトＯＢと、Ｓ４０１で取得した操作情報に基づいて、処理対象となるアニメーション情報を決定する（Ｓ４０３）。タイミング処理部１１０は、図１８に示したように、基準タイミング（ｔＫ）と、音のタイミング（ｔＭ）を決定する（Ｓ４０４、Ｓ４０５）。
【０１７２】
アニメーション処理部１０８は、Ｓ４０４で決定された基準タイミングを、Ｓ４０５で決定された音のタイミングに一致させるように、アニメーション情報の調整処理を行う（Ｓ４０６）。Ｓ４０６の処理は、上述したように、動作が不自然にならないようなスロー再生（補間処理）や、所定フレーム（フレーム区間）のコピーにより実現できる。アニメーション処理部１０８は、調整処理後のアニメーション情報の再生処理を行う（Ｓ４０７）。
【０１７３】
２．４．２  アニメーション情報の決定処理
以上では、図２０のＳ４０３に示したように、オブジェクトＯＢと操作情報に基づいて処理対象のアニメーション情報が１つに特定（決定）される例を示した。しかし、アニメーション情報の決定処理は種々の変形実施が可能である。
【０１７４】
図２１は、アニメーション情報記憶部１７４に記憶されるアニメーション情報の例であり、１行が１つのアニメーション情報に対応する。各アニメーション情報は、ファイル名と、動作属性、キーフレームの情報を含む。また図２１では省略しているが、各アニメーション情報は、図１６に示したように、各フレームでの姿勢（骨の位置、回転角度）の情報を含む。また調整処理において上述したように、アニメーション情報は、調整処理の対象として選択可能なフレーム等の情報を含んでもよい。
【０１７５】
図２１に示すように、キャラクタＣＡに跳躍を行わせるアニメーションは１つに限定されず、ＦＡ１、ＦＡ２…のように複数のアニメーション情報が存在する。例えばパルクールでは、片足を跳躍対象物に載せるセーフティヴォルト、横方向から跳躍対象物に進入するスピードヴォルト、両手を跳躍対象物について当該手の間に両足を通すコングヴォルト等、多数の跳躍技が知られている。例えばキャラクタＣＡにセーフティヴォルトを行わせるアニメーション情報をＦＡ１、スピードヴォルトを行わせるアニメーション情報をＦＡ２、といったように、アニメーション情報記憶部１７４は、それぞれの跳躍動作を１つのアニメーション情報として管理する。
【０１７６】
スライディングについても同様であり、図６のように膝を曲げて上半身を反らせるようなスライディング動作だけでなく、進行方向に足を延ばすフットファーストスライディングや、進行方向に対して両手を前に出すヘッドスライディング等が考えられる。アニメーション情報記憶部１７４は、それぞれが１つのスライディング動作を表すアニメーション情報を複数記憶する（ＦＢ１，ＦＢ２等）。
【０１７７】
その他、パルクールでは壁面によじ登る動作（クライムアップ、ウォールラン等）や、高い位置から安全に着地する動作（ランディング）も多用され、それぞれ複数通りの動作が知られている。よってアニメーション情報記憶部１７４は、これらについてもそれぞれの動作を実現するためのアニメーション情報を記憶する。さらに、アニメーション情報記憶部１７４が記憶するアニメーション情報は以上のものに限定されず、宙返り（フリップ）等、他の動作を行うアニメーション情報を含んでもよい。
【０１７８】
アニメーション処理部１０８は、図２１のような多数のアニメーション情報の中から、処理対象となる１つのアニメーション情報を決定する決定処理を行う。なお、オブジェクトＯＢと操作情報の種類から、図２１における動作属性を決定する処理も、アニメーション情報の決定処理に含まれ、当該動作属性のアニメーション情報が１つであれば、決定処理はそれで完了する。ただし、１つの動作属性に複数のアニメーション情報が含まれる場合、アニメーション処理部１０８は、そこから１つのアニメーション情報を決定する必要がある。
【０１７９】
アニメーション情報の決定処理は種々の手法により実現可能である。例えばアニメーション処理部１０８は、ビートパラメータや経過時間等のゲーム進行履歴に基づいて、決定処理を行ってもよい。一例としては、ビートパラメータが高いほど、或いは経過時間が長いほど、キャラクタＣＡの動きが激しいアニメーション情報が処理対象として決定される。動きが激しいとは、動き量が大きいことを表してもよいし、動きが速い（単位時間当たりの動き量が大きい）ことを表してもよい。このようにすれば、動作が成功してビートパラメータが上がると、音の厚みが増すとともに、キャラクタＣＡの動作も派手になるため、ゲームを盛り上げたり、プレーヤに爽快感を与えることが可能になる。或いは、経過時間が長くなればキャラクタＣＡがゴールに近づいている蓋然性が高くなるため、キャラクタＣＡの動作も派手にすることでゲームを盛り上げることが可能になる。
【０１８０】
或いは、アニメーション処理部１０８は、楽曲の情報に基づいて決定処理を行ってもよい。例えば楽曲情報記憶部１７１は、音量、音程、音色等のパラメータが関連付けられた楽曲情報を記憶する。具体的には、楽曲特徴タイミング（音のタイミング）のそれぞれについて、各特徴タイミングでの音量、音程、音色の情報が関連付けられる。アニメーション処理部１０８は、アニメーションの再生予定期間において、楽曲がどのような音量、音程、音色であるかを判定する。このようにすれば、再生される楽曲の状態に合わせて、キャラクタＣＡを動作させることが可能になる。
【０１８１】
例えば、音量が大きいほど、音程が高いほど、キャラクタＣＡの動きが激しいアニメーション情報が処理対象として決定される。音量（音程）は、単純な大小（高低）ではなく、所定期間内での音量変化（音程変化）を処理に用いてもよい。例えば音量変化（音程変化）が大きい場合に、キャラクタＣＡの動きが激しいアニメーション情報が処理対象として決定される。このようにすれば、楽曲が盛り上がっている場面で、キャラクタＣＡの動作を派手にして、ゲームを盛り上げることが可能になる。音色については、実際の音の波形やフーリエ変換の結果を用いてもよいが、出力されるパート（楽器）の情報を用いてアニメーション情報の決定処理が行われてもよい。例えばギターやドラムが出力される場合は、キャラクタＣＡの動きが激しいアニメーション情報を処理対象とし、ピアノが出力される場合は、キャラクタＣＡの動きが少ないアニメーション情報を処理対象とする、といった決定処理が考えられる。
【０１８２】
或いは、アニメーション処理部１０８は、音のタイミング情報に基づいて決定処理を行ってもよい。例えば、動作属性が「跳躍」であるという決定処理が行われた場合、タイミング処理部１１０は、跳躍動作に対応する複数のアニメーション情報（ＦＡ１，ＦＡ２，…）の各アニメーション情報を対象として、基準タイミング及び音のタイミングを求める。そしてアニメーション処理部１０８は、基準タイミングを音のタイミングに合わせやすいアニメーション情報を、処理対象として決定する。ここでの「合わせやすい」とは、単純には基準タイミングと音のタイミングの時間差が小さいことを表す。ただし、判断基準はこれに限定されず、調整処理を行った後のキャラクタＣＡの動作が自然であるか否かに基づいて、アニメーション情報を決定してもよい。換言すれば、アニメーション処理部１０８（タイミング処理部１１０）は、候補となる複数のアニメーション情報に対して調整処理を試行し、調整処理が適切に実行できるアニメーション情報を再生対象として決定する。
【０１８３】
また以上では、簡略化のために、１つのアニメーション情報に含まれるキーフレームが１つである例を説明した。しかし動作における特徴的なタイミング（フレーム、動作）は２つ以上であってもよく、その場合のアニメーション情報は複数のキーフレームを含む。例えば、図４の動作において、助走の各足の着地、踏み切り、跳躍後の着地等をキーフレームと考えてもよく、この場合、図４の跳躍動作に対応するアニメーション情報（図１６は、複数のキーフレームを含む。
【０１８４】
或いは、キャラクタＣＡに複雑な動作を行わせるアニメーション情報が用いられてもよい。図２２（Ａ）〜図２２（Ｆ）は、抱え込みの側方宙返り（以下、側宙）を行う動作の例であるが、側宙を組み合わせた跳躍動作を用いてもよい。例えば、キャラクタＣＡは、オブジェクトＯＢ１よりも手前側から移動を開始し、助走から踏み切ってまずオブジェクトＯＢ１の上面に着地し、そこから図２２（Ａ）〜図２２（Ｆ）に示した抱え込みの側宙を行って、オブジェクトＯＢ１の奥側に着地する。キャラクタＣＡの一部がオブジェクトＯＢ１又はフィールドＦＥに接地するという観点から考えれば、オブジェクトＯＢ１の上面への着地、及び側宙によるフィールド面への着地の両方が、特徴的なタイミングとなる。動作としても、ＯＢ１に乗るまでの動作と、側宙によりＯＢ１から降りる動作を分けて考えることが自然であり、上記跳躍動作は少なくとも２つの特徴を有する。即ち、キャラクタＣＡに上記跳躍動作を行わせるアニメーション情報は、複数のキーフレームを有する。その他、複数のキーフレームを有するアニメーション情報は種々考えられる。
【０１８５】
キーフレームが複数存在するアニメーション情報では、基準タイミングも複数設定される。例えば、タイミング処理部１１０は、第１のキーフレームに対応する第１の基準タイミングと第２のキーフレームに対応する第２の基準タイミングを決定し、第１の基準タイミングに対応する第１の音のタイミングと第２の基準タイミングに対応する第２の音のタイミングを決定する。アニメーション処理部１０８は、第１の基準タイミングを第１の音のタイミングに合わせ、第２の基準タイミングを第２の音のタイミングに合わせる処理を、調整処理として実行する。
【０１８６】
図２３（Ａ）〜図２３（Ｃ）は、複数のキーフレームを含むアニメーション情報を対象とした調整処理を説明する図である。図２３（Ａ）に示すように、基準タイミング及び音のタイミングが決定された場合、アニメーション処理部１０８は、開始タイミングから第１の基準タイミングまでの第１の調整期間、及び第１の基準タイミングから第２の基準タイミングまでの第２の調整期間を対象として、上述した調整処理を実行する。
【０１８７】
例えば、アニメーション処理部１０８は、第１の調整期間を延長して第１の基準タイミングを第１の音のタイミングに合わせる調整処理を行い（図２３（Ｂ））、その後、第２の調整期間を延長して第２の基準タイミングを第２の音のタイミングに合わせる調整処理を行う（図２３（Ｃ））。ただし上述したように、キャラクタＣＡに自然な動作を実行させるという観点から、各調整期間は延長可能な範囲が制限される。そのため、図２３（Ｂ）と図２３（Ｃ）の少なくとも一方の調整処理を実現できない場面も考えられる。或いは、あえて第１の基準タイミングと第１の音のタイミングを揃えないことで、第２の基準タイミングの調整がうまくいくといった場面も想定される。よってアニメーション処理部１０８での調整処理は、時系列的に前の調整期間から順次延長幅を決定する処理に限定されず、全体を考慮した上で各調整期間の最適な延長幅を決定する処理により実現されてもよい。例えばアニメーション処理部１０８は、所与の評価関数を設定し、当該評価関数による評価値が極大となるように、各調整期間の延長幅を決定する。
【０１８８】
アニメーション処理部１０８は、例えば上記評価関数の評価値に基づいて、再生対象となるアニメーション情報の決定処理を行ってもよい。評価関数は、キーフレームの数、音のタイミングに合わせることができた基準タイミングの数（以下、調整成功数）、音のタイミングに合わせることができなかった基準タイミングの数（以下、調整失敗数）等に基づいて、評価値を決定する関数である。例えば、調整成功数が多いほど値が大きくなり、調整失敗数が多いほど値が小さくなるような評価関数を用いる。キーフレーム数をどのように評価に用いるかは種々の考え方があるが、例えばキーフレーム数が動作の複雑さに関係することを考慮し、キーフレーム数が多いほど値が大きくなるような評価関数を用いる。
【０１８９】
選択されるアニメーション情報は、評価関数の具体的な形式に応じて変化することになる。例えばアニメーション処理部１０８は、元々のキーフレーム数が同じ複数のアニメーション情報が存在する場合、調整成功数が多いアニメーション情報を処理対象として決定する。或いは、アニメーション処理部１０８は、全キーフレーム数に対する調整成功数の割合が高いアニメーション情報を処理対象としてもよい。
【０１９０】
また、以上では楽曲特徴タイミングとして、図１７のＣ１やＣ２に示した拍のタイミングを用いた。ただし楽曲特徴タイミングはこれに限定されない。例えば、所定パートの音が出力されるタイミングを楽曲特徴タイミングとしてもよい。例えば、図８に示した例において、ギターパートの出力タイミングを楽曲の特徴タイミングとする。ギター１では、音の数が相対的に少ないため、楽曲特徴タイミングも少ない（例えば１小節に１タイミング）。ギター３では、音の数が相対的に多いため、楽曲特徴タイミングも多い（例えば１小節に４タイミング、８タイミング等）。この場合、ゲームの進行履歴（狭義にはビートパラメータ）に応じて、音のタイミングが変化することになる。
【０１９１】
楽曲特徴タイミングが少ない場合、音のタイミング（ｔＭ）として選択可能なタイミングが限定される。そのため、基準タイミング（キーフレーム）が多いアニメーション情報では調整失敗数が増えやすい。結果として、アニメーション情報の決定処理では、基準タイミング（キーフレーム）の少ないアニメーション情報が処理対象となりやすくなる。
【０１９２】
一方、楽曲特徴タイミングが多い場合、音のタイミングの候補が増えるため、基準タイミング（キーフレーム）が多くても調整成功数が増えやすく、複雑な動作を行うアニメーション情報が処理対象となりやすい。このように楽曲特徴タイミング（音のタイミング）を可変とすることでも、状況に応じたアニメーション情報の決定処理が可能になる。
【０１９３】
図２４は、アニメーション処理を説明する他のフローチャートである。Ｓ５０１及びＳ５０２は、図２０のＳ４０１、Ｓ４０２と同様である。図２４の例では、パートに応じて楽曲特徴タイミングを変更することを想定し、パート楽曲部分を決定する処理を追加している（Ｓ５０３）。
【０１９４】
また、アニメーション処理部１０８は、キャラクタＣＡの近傍に位置するオブジェクトＯＢと、Ｓ５０１で取得した操作情報に基づいて、処理対象となるアニメーション情報の候補セット（候補アニメーションセット）を決定する（Ｓ５０４）。例えば、操作情報とオブジェクトＯＢから動作属性が「跳躍」に決定された場合、候補アニメーションセットとは、跳躍動作に対応する複数のアニメーション情報（ＦＡ１，ＦＡ２，…）の集合である。
【０１９５】
そしてアニメーション処理部１０８は、候補アニメーションセットから１つのアニメーション情報を選択し（Ｓ５０５）、タイミング処理部１１０は、選択したアニメーション情報を対象として、基準タイミング及び音のタイミングを決定する（Ｓ５０６，Ｓ５０７）。アニメーション処理部１０８は、基準タイミング及び音のタイミングに基づいて評価値を算出する（Ｓ５０８）。ここでの評価値は、例えば上述した評価関数の極大値である。
【０１９６】
アニメーション処理部１０８は、候補アニメーションセットに未処理のアニメーション情報が残っているかを判定し（Ｓ５０９）、未処理のアニメーション情報が存在する場合にはＳ５０５に戻り、処理を継続する。候補アニメーションセットの全てのアニメーション情報の評価値が算出されたら（Ｓ５０９でＮｏ）、当該評価値に基づいて処理対象のアニメーション情報を決定する（Ｓ５１０）。
【０１９７】
アニメーション情報決定後の調整処理（Ｓ５１１）、再生処理（Ｓ５１２）については、図２０のＳ４０６、Ｓ４０７と同様である。なお、評価値を評価関数の極大値とする例であれば、Ｓ５１１の調整処理は、Ｓ５０８の結果をそのまま用いればよい。
【０１９８】
なお、図２４では候補アニメーションセットの全てを評価対象とする例を示した。しかし、Ｓ５１２の再生処理は、Ｓ５０１の操作情報の取得後（厳密に言えば図１１（Ａ）のＳ１０１の操作入力後）、できるだけ速やかに実行することが望ましい。再生処理までに時間がかかってしまうと、プレーヤが操作したにもかかわらず、アニメーションがなかなか開始されずに違和感を与えてしまう。
【０１９９】
よってアニメーション情報の決定処理、及び調整処理が高速で行われるように、処理負荷を軽減することが望ましい。よって例えば、候補アニメーションセットの全てを評価対象とするのではなく、評価値が所定閾値以上のアニメーション情報が見つかった段階で、決定処理を終了するといった変形実施が可能である。
【０２００】
２．５  変形例
以下、いくつかの変形例について説明する。
【０２０１】
（変形例１）
以上の説明では、時系列楽曲部分内での再生位置は、経過時間（エリア存在時間）で決定される例を示した。例えば、キャラクタＣＡがエリアＡＲ２にｘ秒だけ継続して存在した場合、Ａメロのｘ秒目が再生される。即ち、エリアに応じた時系列楽曲部分の遷移という制限はあるものの、時系列楽曲部分内での楽曲の進行は時間とともに自動的に行われる。
【０２０２】
ただし、本実施形態ではオブジェクトＯＢに対するキャラクタＣＡの動作を演奏に用いる。つまり、楽曲の進行もプレーヤの操作（キャラクタＣＡの動作）に関連させるとよく、キャラクタＣＡが静止しているのに楽曲が進行することは好ましくない。
【０２０３】
よって本実施形態では、キャラクタＣＡの動作に基づいて、時系列楽曲部分内での再生位置を決定してもよい。例えば、キャラクタＣＡの動作が行われることで増加するパラメータ（以下、メロディパラメータ）を設定し、キャラクタＣＡの存在エリアとメロディパラメータに基づいて、時系列楽曲部分内での再生位置を決定する。なお、ここでのキャラクタＣＡの動作とは、オブジェクトＯＢに対する動作であってもよいし、フィールドＦＥを歩行、走行する動作であってもよい。また、メロディパラメータは、キャラクタＣＡが次のエリアに移動した場合、即ち、時系列楽曲部分の遷移が行われた場合に、初期化されるパラメータであってもよい。
【０２０４】
このようにすれば、キャラクタＣＡが動いていないときは楽曲の進行が停止するため、キャラクタＣＡの動作と楽曲との連動度合いを高めることが可能になる。
【０２０５】
（変形例２）
図１２に示したように、オブジェクト制御部１１４は、判定部１１６の判定結果に基づいて、キャラクタＣＡの動作対象と異なるオブジェクトＯＢに対する制御を行う。ここでオブジェクト制御部１１４は、オブジェクトＯＢの挙動を楽曲（狭義には楽曲のテンポ、リズム）に合わせるような制御を行ってもよい。
【０２０６】
例えば、オブジェクト制御部１１４は、オブジェクトＯＢを楽曲の拍の周期に合わせて振動させる。或いはオブジェクト制御部１１４は、イコライザ画面を模した動きをオブジェクトＯＢに行わせる。イコライザとは、楽曲を複数の周波数成分に分け、各周波数成分の信号レベルの調整する機器であるが、各周波数成分の信号レベルをグラフとして表示する画面がインターフェースとして広く用いられる。例えばオブジェクト制御部１１４は、所与の周波数成分の信号レベルに合わせて、オブジェクトＯＢの位置（基準位置に対する移動量）を制御する。或いは、所定方向に複数のオブジェクトＯＢを配置し、各オブジェクトをそれぞれ異なる周波数成分に割り当ててもよい。このようにすれば、オブジェクト群があたかもイコライザのインターフェースのように機能する。
【０２０７】
また、ここではオブジェクトＯＢの位置、動きを制御する例を示したが、オブジェクトＯＢの色や質感等を制御することも妨げられない。
【０２０８】
本実施形態では、キャラクタＣＡの動作と楽曲の連動（図８や図９）、キャラクタＣＡの動作とオブジェクト制御の連動（図１２）が可能であったが、本変形例によれば、さらに、オブジェクトＯＢの挙動と楽曲の連動が可能になる。このように、キャラクタ動作（プレーヤ操作）、楽曲、オブジェクトという各要素の連動度合いを高めることにより、自分がゲーム内の音楽やフィールドをコントロールしている感覚を、プレーヤに対して強く与えることが可能になる。
【０２０９】
なお、楽曲に基づくオブジェクト制御は、所与の条件が満たされた場合に実行されてもよい。所与の条件とは、オブジェクトに対するキャラクタの動作が成功したと判定された場合や、ビートパラメータの値が所定閾値以上になった場合である。即ち、プレーヤによる操作が適切に行われ、楽曲が盛り上がっている場合に、オブジェクトＯＢと楽曲が連動するため、より興趣性の高いゲームシステムを実現できる。なお、後述する変形例５のように、エリア間移動が制限される実施形態の場合、当該移動の制限が解除されたことを、楽曲に基づくオブジェクト制御の条件としてもよい。
【０２１０】
（変形例３）
楽曲制御やオブジェクト制御に用いられる動作は、オブジェクトＯＢを対象としたものである例を説明した。しかしキャラクタＣＡのフィールドＦＥ（地面、床面）での動作に基づいて、楽曲制御等が行われてもよい。
【０２１１】
例えば、パルクールでは図２２（Ａ）〜図２２（Ｆ）に示した側宙の他、側転、後方宙返り（バク宙）、前方宙返り等の回転技が用いられることがあり、これらの技は障害物や壁面の存在しない平面的な領域でも実行可能である。これらの動作も、歩行や走行等の単純な動作に比べて見栄えがよく、プレーヤに爽快感を与える。
【０２１２】
例えばゲーム処理部１０４は、オブジェクトＯＢを対象としない特定の動作が行われた場合に、ビートパラメータを増加させる処理を行う。このようにすれば、当該特定の動作についても、オブジェクトＯＢに対する動作と同様に、動作結果が楽曲やオブジェクトＯＢの制御に反映される。
【０２１３】
（変形例４）
以上では、アニメーション情報の調整処理の対象となる移動体が人型のキャラクタＣＡである例を説明した。しかし、移動体はこれに限定されず、例えばレースゲームにおける車やバイク、或いは飛行機は船舶等の乗り物であってもよい。この場合、車両等の特徴的な動作（方向転換、スピン、障害物に乗り上げることによるジャンプ等）が行われるタイミングと、楽曲特徴タイミングを合わせることが可能になる。
【０２１４】
或いは、図３に示した仮想カメラＶＣを移動体としてもよい。図３ではキャラクタＣＡの後方に仮想カメラＶＣを配置する例を示したが、カメラアングル（仮想カメラの位置、光軸方向）を可変とすることで、多様な表示画面を生成することが可能になる。カメラワークとして、パン、チルト、ズームイン、ズームアウト等、種々の技法が知られており、仮想カメラＶＣ自体の動き、或いは被写体との関係から、特徴的なタイミングを規定することが可能である。
【０２１５】
仮想カメラＶＣを移動体とすることで、特徴的な表示画像が表示されるタイミングと、楽曲の特徴タイミングを合わせることが可能になる。
【０２１６】
（変形例５）
図９を用いて上述した例では、フィールドＦＥに設定されたエリア（ＡＲ１〜ＡＲ５）間の移動は自由であり、ガイドオブジェクト等を利用することで、プレーヤに対して適切なタイミングでの移動を促していた。ただし、エリア間の移動をあらかじめ制限しておいてもよい。
【０２１７】
このようにすれば、プレーヤが楽曲自体の進行を無視して先のエリアに進むことを抑制可能である。例えばＡメロの演奏が終わっていないのに、Ｂメロに対応するエリアＡＲ３に進入することを抑制できる。
【０２１８】
この場合、制限の解除条件を設定する必要がある。単純には、経過時間に基づいて移動制限が解除される。例えばＡＲ２からＡＲ３への移動制限は、Ａメロを演奏し終わるだけの時間が経過した場合に解除される。或いは、プレーヤの操作入力の結果、より具体的にはビートパラメータの値が所定閾値以上であることを制限解除の条件としてもよい。例えば、ＡＲ２である程度の動作を行い、Ａメロを厚く演奏できた場合に、ＡＲ３への移動が可能になる。移動制限の解除は、例えばエリア間の移動経路の通行可能／通行不可を切り替える制御により実現される。
【０２１９】
また、ゲーム処理部１０４は、各エリアに時間制限を設けてもよい。ここでの時間制限とは、例えば各エリアに継続して存在することが許容される時間の上限である。そして、ゲーム処理部１０４は、キャラクタＣＡが上記時間制限を超えて所与のエリアに滞在している場合、ゲーム内評価を下げる処理を行う。
【０２２０】
移動制限は、時系列楽曲部分の演奏完了前に次のエリアへ移動することを抑制する効果がある。また、時間制限は、時系列楽曲部分の演奏が完了した場合に、当該エリアに留まることを抑止する（次のエリアへの移動を促す）効果がある。よって移動制限と時間制限を組み合わせることで、プレーヤに対して適切なタイミングでのエリア移動（時系列楽曲部分の遷移）を促すことが可能になる。
【０２２１】
（変形例６）
またキャラクタＣＡの移動速度を楽曲の情報に合わせて変更してもよい。ここでの楽曲の情報とは例えば楽曲のテンポ（拍のタイミングの間隔、ＢＰＭの値等）である。具体的には、楽曲のテンポが早ければキャラクタの移動速度も速くし、テンポが遅ければ移動速度を遅くする。或いは、楽曲の情報とは楽曲のリズムであってもよい。例えば楽曲がワルツかボレロかといった違いによりキャラクタの移動速度が変化する。静かな曲調であるほど移動速度が低く設定され、激しい曲調であるほど移動速度が速く設定される。
【０２２２】
このようにすれば、キャラクタＣＡの移動速度を楽曲と調和させることが可能になる。上述したように楽曲（音量、音程、音色）に応じてアニメーション情報の決定処理を行う実施形態と組み合わせてもよく、この場合、静かな曲調であればキャラクタＣＡはゆっくり移動しつつ動きの少ない動作を行い、激しい曲調であればキャラクタＣＡは素早く移動しつつ動きの激しい動作を行う。
【０２２３】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（移動体等）と共に記載された用語（キャラクタ等）は、明細書又は図面のいかなる箇所においても、その異なる用語に置き換えることができる。また、オブジェクトに対する動作の判定処理、楽曲制御、オブジェクト制御、アニメーション処理（決定処理、調整処理を含む）も、本実施形態で説明したものに限定されず、これらと均等な手法・処理も本発明の範囲に含まれる。また本発明は種々のゲームに適用できる。また本発明は、業務用ゲームシステム、家庭用ゲームシステム、多数のプレーヤが参加する大型アトラクションシステム、シミュレータ、マルチメディア端末、ゲーム画像を生成するシステムボード、携帯電話機等の種々のゲームシステムに適用できる。例えばゲームシステムは、ゲームのプログラムがインストールされて実行される携帯電話機や携帯型情報端末であってもよい。
【符号の説明】
【０２２４】
１０、１１、１２、１３…操作ボタン、１４…方向指示キー、
１６、１８…アナログスティック、２０、２２…Ｒ、Ｌボタン、１００…処理部、
１０２…入力受け付け部、１０４…ゲーム処理部、１０６…キャラクタ処理部、
１０８…アニメーション処理部、１１０…タイミング処理部、１１２…楽曲再生部、
１１４…オブジェクト制御部、１１６…判定部、１２０…表示処理部、１６０…操作部、
１７０…記憶部、１７１…楽曲情報記憶部、１７２…ゲーム進行履歴記憶部、
１７３…フィールド・オブジェクト情報記憶部、１７４…アニメーション情報記憶部、
１８０…記憶媒体、１９０…表示部、１９２…音出力部、１９４…Ｉ／Ｆ部、
１９５…携帯型情報記憶媒体、１９６…通信部、５００…サーバシステム、
５１０…ネットワーク、ＡＲ１〜ＡＲ５…エリア、ＣＡ…キャラクタ、
ＦＥ…フィールド、ＯＢ（ＯＢ１〜ＯＢ４）…オブジェクト、ＲＯ…移動経路、
ＴＭ１〜ＴＭｎ…端末装置、ＶＣ…仮想カメラ、Ｖｍ…移動方向
【図１】
2019103728.tif 000003
【図２】
2019103728.tif 000004
【図３】
2019103728.tif 000005
【図４】
2019103728.tif 000006
【図５】
2019103728.tif 000007
【図６】
2019103728.tif 000008
【図７】
2019103728.tif 000009
【図８】
2019103728.tif 000010
【図９】
2019103728.tif 000011
【図１０】
2019103728.tif 000012
【図１１】
2019103728.tif 000013
【図１２】
2019103728.tif 000014
【図１３】
2019103728.tif 000015
【図１４】
2019103728.tif 000016
【図１５】
2019103728.tif 000017
【図１６】
2019103728.tif 000018
【図１７】
2019103728.tif 000019
【図１８】
2019103728.tif 000020
【図１９】
2019103728.tif 000021
【図２０】
2019103728.tif 000022
【図２１】
2019103728.tif 000023
【図２２】
2019103728.tif 000024
【図２３】
2019103728.tif 000025
【図２４】
2019103728.tif 000026